(57)【要約】【課題】球誘導部内を通過する遊技球やステージ上を移動する遊技球に対する注目を高める。【解決手段】ステージ１０１に、左右方向に延在する上下複数段の球転動部１０３,１０４,１１３,１２３を設けて、上段から下段に位置する球転動部１０３,１０４,１１３,１２３へ遊技球が順次移動し得るよう構成する。球誘導部８０を光透過性の合成樹脂材で形成して、内部に形成した球通路８３ａ,９４ａを通過する遊技球を視認し得るよう構成する。そして、遊技盤２０の裏側には、球誘導部８０およびステージ１０１の後方に配設した支持部材３３に、球通路８３ａ,９４ａに沿って複数のＬＥＤを配置した第１ＬＥＤ基板を配設すると共に、ステージ１０１の球転動部１０３,１０４,１１３,１２３に沿って左右方向に複数のＬＥＤを配置した第２ＬＥＤ基板を配設する。【選択図】図４
2010069142.tif 000002
【特許請求の範囲】
【請求項１】
遊技球が流下可能な遊技領域が盤面に画成された遊技盤と、前記遊技盤に配設されて前後に開口する装飾部材と、前記装飾部材の開口下縁部に配設されて遊技球を一時的に受け入れて遊技球の流下方向を振り分けるステージと、前記装飾部材の開口側部に設けられて前記ステージの側方に隣接位置し、遊技球が通入可能な球入口が前記遊技領域内に開口すると共に、該ステージ上に球出口が開口する球誘導部とを備えた遊技機において、
前記ステージは、左右方向に延在する上下複数段の球転動部からなり、各球転動部に形成された案内部を介して上段に位置する球転動部から下段に位置する球転動部へ遊技球が順次移動し得るよう構成され、
前記球誘導部は、光透過性の合成樹脂材により形成されて、前記球入口および球出口に連通するよう形成された球通路を通過する遊技球を視認し得るよう構成され、
前記遊技盤の裏側には、前記球誘導部およびステージの後方に支持部材が配設されて、該支持部材における球誘導部の後方位置に、前記球通路に沿って複数のＬＥＤを配置した第１ＬＥＤ基板が配設されると共に、該支持部材におけるステージの後方位置に、前記球転動部に沿って左右方向に複数のＬＥＤを配置した第２ＬＥＤ基板が配設される
ことを特徴とする遊技機。
【請求項２】
前記球通路は、前記球誘導部の後方に開口するよう形成されて、該球誘導部の後端部に当接させた前記支持部材により該球通路の後方開口が閉鎖されると共に、該球誘導部には、前記ステージ側の側面に、該球通路に開口する前記球出口としての開口部が形成される請求項１記載の遊技機。
【請求項３】
前記支持部材は、前後に開口する開口部を備えた矩形枠状に形成されて、左右側部を形成する側枠に前記第１ＬＥＤ基板が配設され、
前記第１ＬＥＤ基板の複数のＬＥＤは、前記支持部材の側枠において開口縁側に偏倚した位置に、該開口縁に沿って配置される請求項１または２記載の遊技機。
【請求項４】
前記遊技盤は、前記ステージの下方位置に遊技球が入賞可能な入賞装置が配設されると共に、
前記ステージには、前記球誘導部に連通する上段側の球転動部と、該上段側の球転動部の下方に重なるよう位置する下段側の球転動部と、該下段側の球転動部に形成された開口部に連通し、該開口部に通入した遊技球を前記入賞装置へ向けて案内する第１球排出経路部と、当該下段側の球転動部に形成された開口部に通入しない遊技球を入賞装置の左右側部へ向けて案内可能な第２球経路部とが設けられて、
前記第２ＬＥＤ基板は、前記上段側の球転動部と下段側の球転動部との間にＬＥＤが位置するよう前記支持部材に配設される請求項１〜３の何れか一項に記載の遊技機。
【請求項５】
前記支持部材は、光透過性の合成樹脂材により形成されると共に、前記球誘導部およびステージに対向する前面板には光拡散処理が施されて、該支持部材の前面板の裏側に、前記第１および第２ＬＥＤ基板を配設するよう構成した請求項１〜４の何れか一項に記載の遊技機。
【発明の詳細な説明】
【技術分野】
【０００１】
本発明は、遊技機に関し、更に詳細には、遊技領域を流下する遊技球をステージに一時的に受け入れてステージ上で転がり移動させた後に、遊技球を再び遊技領域に排出し得るよう構成された遊技機に関するものである。
【背景技術】
【０００２】
例えば遊技機の代表例の一つであるパチンコ機は、機内にセットされる遊技盤の盤面に画成した遊技領域の略中央位置に枠状の装飾部材(所謂センター役物)が配設されており、この装飾部材の開口部を介して複数の図柄を変動表示して図柄変動演出を行なう液晶式やドラム式等の図柄表示装置を後方から臨ませると共に、該遊技盤における装飾部材の下方位置に、図柄表示装置の変動開始条件としての始動入賞装置(入賞装置)を配設するよう構成したものが多数提案されている。そして、この種の遊技機では、前記遊技領域に打ち出されたパチンコ球(遊技球)が前記始動入賞装置に入賞することにより、前記図柄表示装置で図柄変動演出が開始されてリーチ演出等の各種の遊技演出がなされ、該図柄表示装置に図柄が所定の組合わせ(例えば同一図柄の３つ揃い)で停止すると、遊技者に有利な所謂大当りが発生するようになっている。このように、大当りが発生するためには、前記始動入賞装置へのパチンコ球の入賞が必要とされることから、遊技者は、前記図柄表示装置での図柄変動演出と同様に、始動入賞装置へのパチンコ球の入賞に対しても大きな関心を持っている。
【０００３】
そこで、遊技盤においてパチンコ球が流下する遊技領域を照明することにより、パチンコ球の動きに対する遊技者の注目を高めるようにしたパチンコ機が提案されている(例えば特許文献１)。この特許文献１では、パチンコ球が通過できる程度の間隔をあけて対向するハーフミラー状の後板と前板とを備えた球通路部材を遊技盤の遊技領域に配設すると共に、該後板の裏側に配設したＬＥＤを点灯・点滅することで、前後の板間を通過するパチンコ球の動きに対する注目度を高めている。
【特許文献１】特開２００２−３１５８８０号公報
【発明の開示】
【発明が解決しようとする課題】
【０００４】
ところで、多くの遊技機には、前記装飾部材の下縁部に、パチンコ球が左右方向に転動可能な所謂ステージを設けると共に、遊技領域に開口すると共にステージに連通する球誘導部を前記装飾部材に設けて、遊技領域を流下するパチンコ球をステージに一旦受け入れて、パチンコ球をステージ上で転動させた後に遊技領域へ排出させることで、パチンコ球の動きを楽しませるよう構成されている。ここで、前記球誘導部を通過したパチンコ球は前記ステージ上に導かれることから、該球入口に通入するパチンコ球に対する遊技者の関心も高くなる。しかしながら、特許文献１に開示されたパチンコ機では、遊技領域内を流下するパチンコ球の動きに対する注目度の向上は図られるものの、前記球誘導部やステージを移動するパチンコ球に対しては、該パチンコ球の動きによる演出効果以外は特に期待できない。
そこで、本発明は、球誘導部内を通過する遊技球やステージ上を移動する遊技球に対する注目を高め得る遊技機を提供することを目的とする。
【課題を解決するための手段】
【０００５】
前記課題を克服し、所期の目的を達成するため、請求項１に係る遊技機は、
遊技球が流下可能な遊技領域(20a)が盤面に画成された遊技盤(20)と、前記遊技盤(20)に配設されて前後に開口する装飾部材(50)と、前記装飾部材(50)の開口下縁部(57)に配設されて遊技球を一時的に受け入れて遊技球の流下方向を振り分けるステージ(101)と、前記装飾部材(50)の開口側部に設けられて前記ステージ(101)の側方に隣接位置し、遊技球が通入可能な球入口(80a)が前記遊技領域(20a)内に開口すると共に、該ステージ(101)上に球出口(80b)が開口する球誘導部(80)とを備えた遊技機において、
前記ステージ(101)は、左右方向に延在する上下複数段の球転動部(103,104,113,123)からなり、各球転動部(103,104,113,123)に形成された案内部を介して上段に位置する球転動部(103,104,113,123)から下段に位置する球転動部(103,104,113,123)へ遊技球が順次移動し得るよう構成され、
前記球誘導部(80)は、光透過性の合成樹脂材により形成されて、前記球入口(80a)および球出口(80b)に連通するよう形成された球通路(83a,94a)を通過する遊技球を視認し得るよう構成され、
前記遊技盤(20)の裏側には、前記球誘導部(80)およびステージ(101)の後方に支持部材(33)が配設されて、該支持部材(33)における球誘導部(80)の後方位置に、前記球通路(83a,94a)に沿って複数のＬＥＤ(43b)を配置した第１ＬＥＤ基板(43a)が配設されると共に、該支持部材(33)におけるステージ(101)の後方位置に、前記球転動部(103,104,113,123)に沿って左右方向に複数のＬＥＤ(44b)を配置した第２ＬＥＤ基板(44a)が配設されることを要旨とする。
【０００６】
遊技盤の裏側に配設した支持部材に、球誘導部の球通路に沿って複数のＬＥＤを配置した第１ＬＥＤ基板を配設したことで、該球通路を通過する遊技球の後方から照明することができ、当該球通路を通過する遊技球に対する視認性を高め、遊技者の注目度を高めることができる。また、前記支持部材におけるステージの後方位置に、該ステージの球転動部に沿って複数のＬＥＤを配置した第２ＬＥＤ基板を配設したことで、当該球転動部上を移動する遊技球を照明して視認性を高め、遊技者の注目度を高めることができる。従って、球入口を通過してから排出されるまでの遊技球に対する注目度が向上し、遊技球の動きによる演出効果の向上が図られる。
【０００７】
請求項２に係る遊技機は、前記球通路(83a,94a)は、前記球誘導部(80)の後方に開口するよう形成されて、該球誘導部(80)の後端部に当接させた前記支持部材(33)により該球通路(83a,94a)の後方開口が閉鎖されると共に、該球誘導部(80)には、前記ステージ(101)側の側面に、該球通路(83a,94a)に開口する前記球出口(80b)としての開口部が形成されることを要旨とする。
【０００８】
球誘導部に形成した球通路の後方開口を支持部材で閉鎖することで、該球通路の後方開口を閉鎖するための別部材を独立して設ける必要がなく、コスト低減を図り得ると共に、球誘導部のコンパクト化を図り得る。
【０００９】
請求項３に係る遊技機は、前記支持部材(33)は、前後に開口する開口部(33a)を備えた矩形枠状に形成されて、左右側部を形成する側枠に前記第１ＬＥＤ基板(43a)が配設され、
前記第１ＬＥＤ基板(43a)の複数のＬＥＤ(43b)は、前記支持部材(33)の側枠において開口縁側に偏倚した位置に、該開口縁に沿って配置されることを要旨とする。
【００１０】
第１ＬＥＤ基板のＬＥＤを、支持部材(33)の側枠において開口縁側に偏倚して位置させることで、該支持部材の開口部の近傍で球誘導部を照明でき、光による演出効果が向上する。
【００１１】
請求項４に係る遊技機は、前記遊技盤(20)は、前記ステージ(101)の下方位置に遊技球が入賞可能な入賞装置(26)が配設されると共に、
前記ステージ(101)には、前記球誘導部(80)に連通する上段側の球転動部(103)と、該上段側の球転動部(103)の下方に重なるよう位置する下段側の球転動部(113)と、該下段側の球転動部(113)に形成された開口部(113c)に連通し、該開口部(113c)に通入した遊技球を前記入賞装置(26)へ向けて案内する第１球排出経路部(72,115)と、当該下段側の球転動部(113)に形成された開口部に通入しない遊技球を入賞装置(26)の左右側部へ向けて案内可能な第２球経路部(113a、123,123a)とが設けられて、
前記第２ＬＥＤ基板(44a)は、前記上段側の球転動部(103)と下段側の球転動部(113)との間にＬＥＤ(44b)が位置するよう前記支持部材(33)に配設されることを要旨とする。
【００１２】
前記第２ＬＥＤ基板のＬＥＤを、上下に重なる球転動部の間に位置するよう配置することで、上段側の球転動部が重なって視認性が低下しやすい下段側の球転動部を転動する遊技球に対する注目度が高まり、演出効果の向上が図られる。また、下段側の球転動部に入賞装置へ遊技球を案内する第１球排出経路部に連通する開口部を形成してあるから、該下段側の球転動部の上方が発光することで、該下段側の球転動部にある遊技球が第１球排出経路部を通過することへの期待感が高められる。
【００１３】
請求項５に係る遊技機は、前記支持部材(33)は、光透過性の合成樹脂材により形成されると共に、前記球誘導部(80)およびステージ(101)に対向する前面板(36)には光拡散処理が施されて、該支持部材(33)の前面板(36)の裏側に、前記第１および第２ＬＥＤ基板(43a,44a)を配設するよう構成したことを要旨とする。
【００１４】
前記支持部材を光透過性の合成樹脂材により形成して、前記球誘導部およびステージに対向する前面板に光拡散処理を施すことで、該支持部材の前面板の裏側に配設した第１および第２ＬＥＤ基板のＬＥＤによる装飾効果の向上が図られる。
【発明の効果】
【００１５】
本発明に係る遊技機によれば、球誘導部内を通過する遊技球やステージ上を移動する遊技球に対する注目を高めることができる。
【発明を実施するための最良の形態】
【００１６】
次に、本発明に係る遊技機につき、好適な実施例を挙げて、添付図面を参照しながら以下詳細に説明する。なお、実施例では、パチンコ球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
(パチンコ機について)
実施例に係るパチンコ機１０は、図１に示すように、矩形枠状に形成されて遊技店の図示しない設置枠台に設置される矩形枠状の外枠１１の開口前面側に、遊技盤２０を着脱可能に保持した中枠１２が開閉および着脱可能に組み付けられて、該遊技盤２０の裏側に対して、各種図柄を変動表示可能な図柄表示装置１７が着脱し得るよう構成される。また、前記中枠１２の前面側には、前記遊技盤２０を透視保護するガラス板を備えた前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記図柄表示装置１７としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を表示可能な従来公知の各種の図柄表示装置を採用し得る。
【００１８】
(遊技盤について)
前記遊技盤２０は、図１,図２または図４に示すように、所定板厚の積層合板の表面にセルを貼付けた化粧板であって、該遊技盤２０の表面に、略円形状に湾曲形成したレール２１が配設されて、該レール２１によりパチンコ球が流下可能な遊技領域２０ａが画成され、前記打球発射装置から発射されたパチンコ球が遊技領域２０ａ内に打ち出されるようになっている。また遊技盤２０には、ルーター加工等の孔空け加工により前後に貫通する複数(実施例では３つ)の装着口２２,２３,２４が前記遊技領域２０ａ内に開設されて(図３参照)、各装着口２２,２３,２４に対して各種部品が前側から取り付けられている。また、前記遊技盤２０の裏面には、前記図柄表示装置１７を配設する裏ユニット３３(後述)が配設されている。なお、前記装着口２２,２３,２４の形成数は、遊技盤２０に対して取り付けられる各種部品の個数や配設位置等により必要に応じて適宜変更されるものである。また、前記遊技盤２０には、前記遊技領域２０ａ内に多数の遊技釘(図示せず)が植設されており、遊技領域２０ａを流下するパチンコ球が遊技釘に接触することで流下方向を不規則に変化するようになっている。
【００１９】
ここで、実施例では、図３に示すように、前記遊技盤２０には、前記装着口として、前記レール２１で囲まれた遊技領域２０ａの略中央から右側部に至る大部分が開口する第１の装着口２２と、該第１の装着口２２の下方位置において遊技領域２０ａの左右幅方向の略中央に開設された第２の装着口２３と、遊技領域２０ａの左下方(第２の装着口２３の左側方位置)に開設された第３の装着口２３が開設されている。そして、遊技盤２０に開設された大型の第１の装着口２２に、前後に開口する窓口５０ａが形成された装飾部材５０(後述)が取り付けられている。また、前記遊技盤２０に開設された第２の装着口２３には、遊技領域２０ａを流下するパチンコ球が入賞可能な始動入賞装置２６や特別入賞装置２７が取り付けられている。そして、前記始動入賞装置２６の入賞口２６ａにパチンコ球が入賞することで、前記図柄表示装置１７に図柄が変動表示されて図柄変動ゲームが展開され、該図柄変動ゲームの結果、図柄表示装置１７に所定の図柄組み合わせ(例えば同一図柄の３つ揃い)で図柄が停止表示されると、前記特別入賞装置２７が開放して所謂大当りが発生し、多数の賞球を獲得し得るよう構成されている。なお、実施例の始動入賞装置２６には、遊技領域２０ａの上方へ向けて入賞口２６ａが開口している。また、前記遊技盤２０に開設された第３の装着口２３には、複数の普通入賞口２８や電飾装置２９を備えた合成樹脂製の遊技部品３０が取り付けられている。
【００２０】
(裏ユニットについて)
前記裏ユニット３３は、図５に示すように、前記図柄表示装置１７の表示面に対応する開口寸法で開口部３３ａが画成された枠体であって、前記開口部３３ａが、前記装飾部材５０の窓口５０ａに臨む状態で、前記遊技盤２０の裏側に着脱自在に配設されている。この裏ユニット３３は、前方へ開口した略矩形箱状に形成された裏カバー体３４と、該裏カバー体３４の内部に収容保持される矩形枠状の表カバー体３５とから構成されて、該裏カバー体３４および表カバー体３５を組み付けることで、ユニット全体として前後に開口する前記開口部３３ａが形成される。そして、前記表カバー体３５を保持した裏カバー体３４が前記遊技盤２０の裏側に固定されるようになっている。そして、この裏カバー体３４の裏側に前記図柄表示装置１７が配設されると共に、前記表カバー体３５に、複数の可動演出装置４２Ａ,４２Ｂや複数の発光装置４３,４４が配設されている。すなわち、前記裏ユニット３３は、パチンコ機１０の遊技演出に関わる図柄表示装置１７や可動演出装置４２Ａ,４２Ｂ、発光装置４３,４４の設置部材として機能している。
【００２１】
ここで、前記表カバー体３５は、図５または図６に示すように、前後に開口した矩形枠状の前面板３６の外縁および内縁に後方に延出する縁壁３７(図４参照)が形成されて、内縁に沿って形成される縁壁３７により画成される開口が前記裏ユニット３３の開口部３３ａを構成している。この表カバー体３５には、開口部３３ａの上縁をなす上枠３８および右縁をなす右側枠３９に上部可動演出装置４２Ａおよび側部可動装置４２Ｂが夫々配設され、開口部３３ａの左縁をなす左側枠４１に側部発光装置４３が配設され、開口部３３ａの下縁をなす下枠４０に下部発光装置４４が配設されている。また、表カバー体３５における左側枠４１には、前方に開口した挿入孔４６ａを有する筒状突部４６が形成されて、後述する球誘導部８０に形成される嵌合突部９９が筒状突部４６の挿入孔４６ａに嵌合し得るようになっている。
【００２２】
表カバー体３５は、透明な合成樹脂材により形成されると共に光拡散加工が施されている。実施例では、前記下枠４０の全体、左側枠４１における側部発光装置４３の配設部位、および右側枠３９における側部可動演出装置４２Ｂの配設部位に光拡散加工が施され、表カバー体３５の裏面に配設される側部発光装置４３および下部発光装置４４から照射される光を好適に拡散させると共に、各発光装置４３,４４や側部可動演出装置４２Ｂ等から導出する各種配線を前側から視認し難くしてある。なお、前記光拡散処理としては、シボ加工等により表カバー体３５の前面板３６に凹凸を形成してもよく、別に設けた光拡散シートを前面板３６に貼付してもよい。
【００２３】
(側部発光装置について)
前記側部発光装置４３は、図６に示すように、前記表カバー体３５の左側枠４１における下部側の前面板３６の裏面(裏カバー体３４側の面)に配設される第１ＬＥＤ基板４３ａと、該第１ＬＥＤ基板４３ａの前面に実装されて前方に向けて光を照射する複数のＬＥＤ４３ｂとから構成されている。前述したように左側枠４１における側部発光装置４３の配設領域には光拡散処理が施されており、側部発光装置４３のＬＥＤ４３ｂから前面板３６に向けて照射された光は、該前面板３６で拡散して広範囲を照明することができるようになっている。ここで、第１ＬＥＤ基板４３ａに実装される複数のＬＥＤ４３ｂは、前記左側枠４１の開口端縁側(右端縁側)に偏倚した位置に、該開口端縁に沿って上下に配置されている。また、裏ユニット３３を遊技盤２０の裏側に配設した状態で、側部発光装置４３は、前記装飾部材５０に配設された後述の球誘導部８０の後方に位置し、該球誘導部８０の球通路８３ａ,９４ａを後方から照明し得るよう構成される。
【００２４】
前記側部発光装置４３の第１ＬＥＤ基板４３ａの前面には、図６に示す如く、左側縁側にコネクタソケット４３ｃが突設される。また表カバー体３５の前面板３６には、側部発光装置４３の第１ＬＥＤ基板４３ａのコネクタソケット４３ｃと対応する位置に第１のソケット用開口部４１ａが形成されて、コネクタソケット４３ｃは第１のソケット用開口部４１ａを介して前面板３６前側に臨んでいる。なお、前記第１のソケット用開口部４１ａの前側は、前記装飾部材５０によって覆われて、コネクタソケット４３ｃおよび該ソケット４３ｃに接続される配線を前側から視認し得ないようになっている。
【００２５】
(下部発光装置について)
前記下部発光装置４４は、図６に示すように、前記表カバー体３５における下枠４０の前面板３６の裏面(裏カバー体３４側の面)に配設される第２ＬＥＤ基板４４ａと、該ＬＥＤ４４ｂ基板の前面に実装されて前方に向けて光を照射する複数のＬＥＤ４４ｂとから構成される。前述したように下枠４０には光拡散処理が施されており、下部発光装置４４のＬＥＤ４４ｂから前面板３６に向けて照射された光は、該前面板３６で拡散して広範囲を照明することができるようになっている。ここで、第２ＬＥＤ基板４４ａに実装される複数のＬＥＤ４４ｂは、前記下枠４０の開口端縁側(上端縁側)に沿って左右方向に直線的に配置されている。そして、下部発光装置４４は、前記装飾部材５０に配設されるステージ１０１(後述)の後方に位置して、該ステージ１０１を裏側から照明するよう構成される。より具体的には、前記下部発光装置４４のＬＥＤ４４ｂは、ステージ１０１の第１球転動部１０３と第３球転動部１１３(何れも後述)の間に位置するよう配置されている。
【００２６】
前記下部発光装置４４の第２ＬＥＤ基板４４ａの前面には、図６に示す如く、左端部にコネクタソケット４４ｃが突設される。また表カバー体３５の前面板３６には、下部発光装置４４の第２ＬＥＤ基板４４ａのコネクタソケット４４ｃと対応する位置に第２のソケット用開口部４１ｂが形成されて、コネクタソケット４４ｃは第２のソケット用開口部４１ｂを介して前面板３６前側に臨んでいる。なお、前記第２のソケット用開口部４１ｂの前側は、前記装飾部材５０または遊技盤２０によって覆われて、コネクタソケット４４ｃおよび該ソケット４４ｃに接続される配線を前側から視認し得ないようになっている。
【００２７】
(装飾部材について)
次に、前記遊技盤２０の第１の装着口２２に配設される前記装飾部材５０について説明する。図２または図４に示すように、前記装飾部材５０は、前記遊技盤２０に開設した第１の装着口２２に配設可能な枠状に形成されて、該装飾部材５０の下側枠部５７(開口下縁部)に、パチンコ球を一時的に受け入れてパチンコ球の流下方向を変更しつつ最終的に遊技領域２０ａ内に排出するステージ１０１(後述)が設けられると共に、当該装飾部材５０の左側枠部５４(開口側部)に、前記遊技領域２０ａを流下するパチンコ球をステージ１０１上に誘導する球誘導部８０が設けられている。そして、前記装飾部材５０を第１の装着口２２に配設した際に、装飾部材５０の窓口５０ａ内に前記表カバー体３５の前面板３６が露出して前記裏ユニット３３の開口部３３ａが窓口５０ａ内で開口するようになっている。すなわち、前記図柄表示装置１７および前記各可動演出装置４２Ａ,４２Ｂが窓口５０ａ内に露出するようになっている。ここで、前記装飾部材５０の左側縁をなす左側枠部５４は、上下方向に延在するよう形成されると共に、該装飾部材５０の下縁をなす下側枠部５７は、遊技盤２０の左右方向の略中央に向けて下方に突出する湾曲形状に形成され、装飾部材５０の上縁から右側縁をなす枠部は、前記レール２１に沿った円弧状に形成されている。
【００２８】
前記装飾部材５０は、前記遊技盤２０に開設された第１の装着口２２の内周面に沿って延在する内周壁５１と、該内周壁５１の前端部に設けられて外側方へ突出する固定片５２と、前記内周壁５１の前端部に内方へ向けて突出する装飾板部(前板)５３とから、前後に開口する枠状に形成されて、該開口が前記窓口５０ａとされる(図７〜図９参照)。そして、前記装飾部材５０は、前記内周壁５１を第１の装着口２２に対して前側から挿入して遊技盤２０の表面に固定片５２を当接させ、該固定片５２の所要位置に形成した通孔５２ａを介して前側から遊技盤２０にネジを螺挿することにより固定される。なお、以下の説明において、装飾部材５０の左側枠部５４を構成する内周壁５１および装飾板部５３を左側内周壁５６および左側装飾板部５５と称し、装飾部材５０の下側枠部５７を構成する内周壁５１および装飾板部５３を下側内周壁５９および下側装飾板部５８と称する。
【００２９】
また、前記装飾部材５０は、前記左側枠部５４の上下の略中央位置から装飾部材５０の上縁および右側縁をなす枠部分に亘って、装飾板部５３(遊技盤２０の表面)より前方へ突出する庇状部６０が連続して形成されており(図４参照)、前記遊技領域２０ａに打ち出されて庇状部６０に接触したパチンコ球を側方に誘導して装飾部材５０の窓部を横切って流下しないようになっている。なお、図２または図４に示すように、前記装飾部材５０における側部可動演出装置４２Ｂの下方位置には、普通図柄を表示する普通図柄表示装置６２が設けられると共に、該装飾部材５０の左側部には、パチンコ球を検出する球検出センサ(図示せず)を備えた球通過ゲート６１が設けられている。そして、前記球通過ゲート６１をパチンコ球が通過することで、普通図柄表示装置６２の普通図柄が変動開始するよう構成されている。
【００３０】
また、前記装飾部材５０の下側枠部５７には、図２または図４に示すように、ステージ１０１と、前記側部可動演出装置４２Ｂとの間の境界位置に球用保護壁６３が設けられており、該ステージ１０１を転動するパチンコ球が側部可動演出装置４２Ｂ側に移動するのを球用保護壁６３で規制している。なお、この球用保護壁６３は、透明な合成樹脂製で、可動演出装置４２Ｂの外形形状に合わせた湾曲形状に形成されている。
【００３１】
ここで、図７または図８に示すように、前記装飾部材５０における左側枠部５４の左側装飾板部５５には、上下に離間する位置に、前記球誘導部８０(具体的には後述の球案内通路部８２)を固定する上側固定突部(装飾部材の開口側部に設けられたボス)６５および下側固定突部６６(装飾部材の開口側部に設けられたボス)が後方へ向けて突設されている。前記上下の固定突部６５,６６は、円柱状に形成されて、その後端部にネジ孔６５ａ,６６ａが形成される。また、前記左側枠部５４に形成された上下の固定突部６５,６６の間には、上下に離間する位置に、前記球誘導部８０(具体的には後述の球案内通路部８２)を位置決めする上側位置決め突部(第１の位置決め突部、第１の通路部材側位置決め突部)６７および下側位置決め突部(第１の位置決め突部、第１の通路部材側位置決め突部)６８が後方へ突出するよう形成されている。この上下の位置決め突部６７,６８は、円柱状の軸部６７ａ,６８ａの後端部に、該軸部６７ａ,６８ａより小径な円柱状の小径突部６７ｂ,６８ｂを突設して構成されている。また、前記左側枠部５４を構成する左側内周壁５６の後端部は、前記下側位置決め突部６８に隣接する部位を切欠いて後方および左右方向に開口する第１の枠側切欠き凹部６９が形成されている。
【００３２】
図９に示すように、前記装飾部材５０の下側枠部５７における下側内周壁５９は、前記左側内周壁５６に連接して下側装飾板部５８の上端部側(第１の装着口２２から離間する位置)に位置する第１の壁部５９ａと、該下側装飾板部５８の下端部側(第１の装着口２２に近接する位置)に位置する第２の壁部５９ｂとからなり、該第１の壁部５９ａの右端部と第２の壁部５９ｂの左端部との間に所定高さの段差が形成される。この第１の壁部５９ａの右端部と第２の壁部５９ｂの左端部とを接続する接続壁７７には、後方および左右方向に開口するスリット７７ａが前後方向に延在するよう形成されており、該スリット７７ａに、前記ステージ１０１に設けられる係合突部１２６(後述)を後方から差し込んで係合させ得るようになっている。また、前記第１の壁部５９ａの右後端部には、後端部にネジ孔７８ａを有する第１の固定ボス７８が後方に突出するよう形成されている。
【００３３】
また、前記下側枠部５７の下側装飾板部５８には、前記始動入賞装置２６に設けた入賞口２６ａの鉛直上方位置に、前後に開口する開口５８ａが形成されると共に、下側枠部５７における第２の壁部５９ｂには、該装飾板部５３の開口５８ａの左右端縁に整合する位置に、上方へ突出する一対の通路画成壁７１,７１が上方へ突設されて、該通路画成壁７１,７１の間に前側球通路７２を画成している。この通路画成壁７１,７１の間に画成される前側球通路７２は、前記ステージ１０１に形成される後側球通路１１５(後述)に連通するよう構成されて(図２０参照)、該ステージ１０１から排出されるパチンコ球を前記始動入賞装置２６の入賞口２６ａへ向けて案内する第１球排出経路部の一部を構成している。すなわち、前記下側枠部５７の下側装飾板部５８に形成された前記開口５８ａは、前記第１球排出経路部の球出口として機能し、第１球排出経路部(前側球通路７２および後側球通路１１５)を通過したパチンコ球は、前記始動入賞装置２６の入賞口２６ａの鉛直上方位置に位置する開口５８ａを介して排出されることで該入賞口２６ａに入賞し易くなっている。
【００３４】
図９または図１９に示すように、前記下側枠部５７の下側装飾板部５８には、前記前側球通路７２と左側枠部５４との間および前側球通路７２と球用保護壁６３との間に、前記ステージ１０１を固定する円柱状の２つの固定突部７３,７４が後方へ突出するよう夫々形成されて、該下側装飾板部５８に合計４つの固定突部７３,７４が設けられている。なお、前記下側装飾板部５８に形成される４つの固定突部７３,７４の内、前記前側球通路７２に近接して位置する左右一対の固定突部７３,７３が、前記ステージ１０１を構成する後述の第２ステージ部材１１２を固定する固定部(第２ボス、装飾部材の開口側部に設けられた別のボス)として機能し、以下の説明では、内側固定突部(第３ボス)７３,７３と称する場合もある。また、前記下側装飾板部５８に形成される４つの固定突部７３,７４の内、前記前側球通路７２から離間して位置する左右一対の固定突部７４,７４が、前記ステージ１０１を構成する後述の第３ステージ部材１２２を固定する固定部(第３ボス、装飾部材の開口側部に設けられたボス)として機能し、以下の説明では、外側固定突部(第２ボス)７４,７４と称する場合もある。また、前記内外の固定突部７３,７４の夫々には、後端部にネジ孔７３ａ,７４ａが形成されている。
【００３５】
また、図９または図１９に示すように、前記内外の固定突部７３,７４の間には、外側固定突部７４に隣接する位置に、前記ステージ１０１の第３ステージ部材１２２を位置決めする位置決め突部(ステージ用位置決め突部)７５が後方へ向けて突設されている。この位置決め突部７５は、円柱状の軸部７５ａの後端部に、該軸部７５ａより小径な円柱状の小径突部７５ｂを突設して構成されている。なお、前記下側装飾板部５８に形成される４つの固定突部７３,７４および位置決め突部７５は、前記前側球通路７２を中心として左右対称となる位置に夫々設けられる。また、前記下側内周壁５９における第２の壁部５９ｂの後端部は、前記外側固定突部７４および位置決め突部７５に隣接する部位を切欠いて後方および上下方向に開口する第２の枠側切欠き凹部７０,７０が形成されている。なお、前記装飾部材５０には、前記前側球通路７２を中心として前記第１の固定ボス７８と左右対称となる位置に、後端部にネジ孔(図示せず)を有する第２の固定ボス７９が後方に突出するよう形成されている。
【００３６】
(球誘導部について)
図４または図８に示すように、前記球誘導部８０は、前記装飾部材５０における左側枠部５４(左側装飾板部５５)の前側に設けられる球導入通路部８１と、該装飾部材５０における左側枠部５４(左側装飾板部５５)の裏側に設けられて球導入通路部８１に連通する球案内通路部８２とから構成されて、球導入通路部８１に通入したパチンコ球が球案内通路部８２を介して前記ステージ１０１上に案内されるようになっている。ここで、前記球導入通路部８１は、前記左側枠部５４における前記庇状部６０の下端部に設けられて、遊技領域２０ａ内に開口する開口部８０ａから右方へ向けて下方傾斜する球導入路８１ａが形成され、前記左側装飾板部５５に前後に開口するよう形成した第１の連通孔８１ｂに連通するようになっている。すなわち、前記球導入通路部８１の遊技領域２０ａ内に開口する開口部が、前記球誘導通路８０の球入口８０ａとして機能する。
【００３７】
また、図１０に示すように、前記球案内通路部８２は、前記左側枠部５４に沿って上下方向に延在する前側通路部材８３および後側通路部材９４の２つの部材から構成されている。前記前後の通路部材８３,９４は、光透過性の合成樹脂材により形成されて、該球案内通路部８２の球通路８３ａ,９４ａを流通するパチンコ球を前側から視認し得るよう構成してある。
【００３８】
(前側通路部材について)
前記前側通路部材８３は、図１０または図１１に示すように、前記左側枠部５４の左側装飾板部５５に当接する前板部８４と、該前板部８４の左側端縁(左側内周壁５６側の端縁)に連接されて左側内周壁５６に対向する第１側板部８５と、前板部８４の右側端縁(装飾部材５０の窓口５０ａ側に位置する端縁)に連接されて、第１側板部８５に対向する第２側板部８６と、前板部８４の上下の端縁に連接された上板部８７および下板部８８とから、後方に開口する断面コ字状に形成されている。すなわち、前後の通路部材８３,９４を組み付けた際に、前側通路部材８３における各板部８４,８５,８６,８７,８８の間に、パチンコ球が通過可能な第１球通路８３ａが画成されるようになっている。また、前記前板部８４において前記第１の連通孔８１ｂと前後に整列する位置に、第２の連通孔８４ａが前後に貫通するよう形成されており、第１の連通孔８１ｂを通過したパチンコ球は、第２の連通孔８４ａを介して第１球通路８３ａに到来するよう構成されている。なお、前記前側通路部材８３の第１側板部８５の下端部には、後方に突出する突起部(第２の通路部材側位置決め突部)８５ａが形成されている。
【００３９】
ここで、図１３に示すように、前記前側通路部材８３の前板部８４は、左端部側が前記左側装飾板部５５に当接するよう構成されて、第１球通路８３ａの略全体が装飾部材５０の前面側に露出している。すなわち、前記第１球通路８３ａを流下するパチンコ球をパチンコ機１０の前面側から視認し得るようになっている。
【００４０】
また、前記前側通路部材８３には、図１０に示すように、前記下板部８８の上方位置に、前記第１球通路８３ａの底面をなす底面板(内底面)８９が設けられている。この底面板８９には、左右方向に離間する位置に、前後方向に延在する平行な２本の第１ガイド(突条部)８９ａ,８９ｂが上方へ突出するよう形成されて、前記第１球通路８３ａを流下したパチンコ球が第１ガイド８９ａ,８９ｂ上に落下するようになっている(図１３参照)。すなわち、前記第１ガイド８９ａ,８９ｂは、パチンコ球が転動する転動面として機能するものである。また、前記第１ガイド８９ａ,８９ｂは、後方へ向けて下方傾斜するよう形成されており、第１ガイド８９ａ,８９ｂ上に落下したパチンコ球を後方(後側通路部材９４)に向けて転動させるよう構成されている。なお、前記前側通路部材８３の底面板８９は、左端部から右端部へ向けて下方傾斜するよう形成されている。また、前記第１ガイド８９ａ,８９ｂの突出上端は、右側(第２側板部８６側)に位置する第１ガイド８９ａに較べて、左側(第１側板部８５側)に位置する第１ガイド８９ｂの方が低くなるよう形成されている。すなわち、第１球通路８３ａを通過するパチンコ球は、第１ガイド８９ａ,８９ｂ上を第１側板部８５側に寄った状態で直線的に移動するようになっている。
【００４１】
図１０または図１１に示すように、前記前側通路部材８３における第１側板部８５の上部位置(具体的には第２の連通孔９４の形成位置より上方位置)には、後端部に外方(左側内周壁５６側)に突出する第１の支持板９０が形成されている。前記第１の支持板９０の突出端部(左端部)は、前記装飾部材５０の左側内周壁５６の内周面に倣う形状に形成されて、前板部８４を左側装飾板部５５に当接させた状態で、該第１の支持板９０の突出端部が左側内周壁５６の内周面に当接するようになっている。また、前記第１の支持板９０には、左側枠部５４に形成された前記上側位置決め突部６７の小径突部６７ｂを挿入可能な位置決め孔(第１の位置決め孔、第１の通路部材側位置決め孔)９０ａが形成されると共に、後方へ突出する突起部(第２の位置決め突部、第２の通路部材側位置決め突部)９０ｂが形成されている。更に、前記第１の支持板９０には、前記装飾部材５０の左側枠部５４に形成された前記上側固定突部６５と嵌合する切欠き部９０ｃが形成されている。
【００４２】
また、前記前側通路部材８３における第１側板部８５の後端には、前記第１の支持板９０から下方へ離間する位置に、外方(内周壁５１側)に突出する第２の支持板９１が形成されている。前記第２の支持板９１は、前記左側内周壁５６に形成した前記第１の枠側切欠き凹部６９に臨むよう形成されて、前側通路部材８３の前板部８４を左側装飾板部５５に当接させた際に、該第２の支持板９１が第１の枠側切欠き凹部６９の後端部に当接するようになっている。ここで、前記第２の支持板９１の上下の幅寸法は、前記第１の枠側切欠き凹部６９の上下の開口幅と略一致するよう形成されており、第２の支持板９１が第１の枠側切欠き凹部６９の上下の端部に当接して前側通路部材８３の上下移動を規制するよう構成されている。また、前記第２の支持板９１には、前記左側枠部５４に形成された下側位置決め突部６８と前後に整列する位置に、該下側位置決め突部６８の小径突部６８ｂを挿入可能な位置決め孔(第１の位置決め孔、第１の通路部材側位置決め孔)９１ａが形成されると共に、後方へ突出する突起部(第２の位置決め突部、第２の通路部材側位置決め突部)９１ｂが形成されている。
【００４３】
また、前記前側通路部材８３における第１側板部８５の下端部前側には、外方(左側内周壁５６側)に突出する第３の支持板９２が形成されている。前記第３の支持板９２の側端部は、前記左側内周壁５６の内周面に倣う形状に形成されて、該左側内周壁５６の内周面に当接するようになっている。また、前記第３の支持板９２には、前記左側枠部５４に形成された前記下側固定突部６６と嵌合する切欠き部９２ａが形成されている。
【００４４】
すなわち、前記前側通路部材８３は、前記前板部８４を装飾板部５３に当接させた状態で、前記左側枠部５４に設けた上下の位置決め突部６７,６８が第１および第２の支持板９０,９１対応の位置決め孔９０ａ,９１ａに挿入されて、前記第２の連通孔８４ａが第１の連通孔８１ｂに連通する位置に位置決め保持される。このとき、左側枠部５４に設けた上下の固定突部６５,６６が第１および第３の支持板９０,９２に設けた対応の切欠き部９０ｃ,９２ｃに嵌合することで、前側通路部材８３の上下移動をより確実に規制している。更に、前記第１の支持板９０および第３の支持板９２の突出端部が左側内周壁５６の内周面に当接すると共に、前記第２の支持板９１が第１の枠側切欠き凹部６９の後端部に当接することで、前側通路部材８３の姿勢保持を確実にしている。
【００４５】
(後側通路部材について)
図１０または図１１に示すように、前記後側通路部材９４は、前記前側通路部材８３の上下左右の壁を形成する各板部８５,８６,８７,８８の後端に当接する前板部９５と、該前板部９５の右端縁部(装飾部材５０の窓口５０ａ側に位置する端縁)に連接されて、前側通路部材８３の第２側板部８６に整合する側板部９６と、前板部９５の下部位置に設けられて前後に開口し、第２球通路９４ａを画成する筒状部９７とから構成されている。すなわち、前後の通路部材８３,９４を組み付けた際に、前側通路部材８３に画成された前記第１球通路８３ａの後方開口が前記後側通路部材９４の前板部９５により閉鎖されて第１球通路８３ａが前側通路部材８３に画成されると共に、該第１球通路８３ａの下端部に前記第２球通路９４ａが連通して、第１球通路８３ａから第２球通路９４ａにパチンコ球が移動し得るようになっている。
【００４６】
ここで、前記後側通路部材９４の側板部９６は、前記筒状部９７の右側壁部として機能すると共に、該側板部９６の後端部には、筒状部９７の第２球通路９４ａ内に、パチンコ球が通過可能な大きさで開口する切欠きが形成されており、この切欠きが球誘導部８０の球出口８０ｂとして機能するようになっている(図１０参照)。また、前記後側通路部材９４の後端部(筒状部９７の後端部)に、前記裏ユニット３３(表カバー体３５)の前面板３６が当接して、前記第２球通路９４ａの後方開口(筒状部９７の後方開口)を該前面板３６で閉鎖するよう構成される。すなわち、前記第２球通路９４ａを通過するパチンコ球は、前記球出口８０ｂからのみ排出されるようになっている。
【００４７】
また、図１１に示すように、前記後側通路部材９４には、前記第２球通路９４ａを画成する前記筒状部９７の底面板(内底面)９８に、前後方向に延在する平行な２本の第２ガイド(突条部)９８ａ,９８ｂが左右方向に離間する位置に上方へ突出するよう形成されている。すなわち、前記第２ガイド９８ａ,９８ｂは、パチンコ球が転動する第２球通路９４ａの転動面として機能している。また、前記第２ガイド９８ａ,９８ｂは、後方へ向けて下方傾斜するよう形成されており、第２ガイド９８ａ,９８ｂ上のパチンコ球を後方(球出口８０ｂ)に向けて転動させるよう構成されている。
【００４８】
ここで、前記第２ガイド９８ａ,９８ｂの傾斜上端部(前側通路部材８３側の端部)は、前記第１ガイド８９ａ,８９ｂの傾斜下端部(後側通路部材９４側の端部)より下方に位置して、第１および第２ガイド８９ａ,８９ｂ,９８ａ,９８ｂの間に段差が形成されるようになっている(図１２参照)。すなわち、前記第１ガイド８９ａ,８９ｂ(第１球通路８３ａ)を転動したパチンコ球は、第２ガイド９８ａ,９８ｂとの境界位置で滞ることなく速やかに第２ガイド９８ａ,９８ｂ(第２球通路９４ａ)に移動するようになっている。また、前記第２ガイド９８ａ,９８ｂは、第２球通路９４ａの前端(筒状部９７の前端)から球出口８０ｂの前側開口端縁に整列する位置まで延在するよう形成されている(図９、図２１参照)。すなわち、前記第２ガイド９８ａ,９８ｂ上を転動したパチンコ球は、球出口８０ｂの形成位置で前記筒状部９７の底面板９８上に移動するようになっている。この筒状部９７の底面板９８は、図９または図１０に示すように、右方向(ステージ１０１)へ向けて下方傾斜するよう形成されて、筒状部９７の底面板９８上に移動したパチンコ球は、該底面板９８の傾斜によって球出口８０ｂに移動するようになっている。また、前記第２ガイド９８ａ,９８ｂの突出上端は、右側(ステージ１０１側)に位置する第２ガイド９８ａに較べて、左側(側板部９６側)に位置する第２ガイド９８ｂの方が低くなるよう形成されている。すなわち、第２球通路９４ａを通過するパチンコ球は、第２ガイド９８a,９８ｂ上を側板部９６側に寄った状態で直線的に移動し、球出口８０ｂの形成位置(第２ガイド９８ａ,９８ｂの傾斜下端部)において前記底面板９８の傾斜上端側に移動するようになっている。
【００４９】
また、図１２に示すように、前記後側通路部材９４の前板部９５は、前記前側通路部材８３の第１側板部８５、第１の支持板９０の突出端部および第３の支持板９２の突出端部より左方(左側内周壁５６側)まで延在すると共に、該前側通路部材８３の下板部８８より下方(下側内周壁５９の第１壁部５９ａ側)まで延出するよう形成されて、該後側通路部材９４の前板部９５の前面が左側内周壁５６の後端部に当接するよう構成されている(図１４参照)。そして、前記後側通路部材９４の前板部９５に、前記前側通路部材８３の第１側板部８５の下端部、第１の支持板９０および第２の支持板９１の夫々に形成された前記突起部８５ａ,９０ｂ,９１ｂを嵌合可能な位置決め孔(第２の位置決め孔、第２の通路部材側位置決め孔)９５ａ,９５ａ,９５ａが夫々形成されており、該突起部８５ａ,９０ｂ,９１ｂを対応の位置決め孔９５ａ,９５ａ,９５ａに嵌合することで、前記第１球通路８３ａと第２球通路９４ａとが連通する位置で前後の通路部材８３,９４が位置決めされるようになっている。すなわち、実施例では、前記前側通路部材８３の各突起部８５ａ,９０ｂ,９１ｂおよび後側通路部材９４の位置決め孔９５ａ,９５ａ,９５ａが、前側通路部材８３と後側通路部材９４とを位置決めする位置決め手段として機能する。
【００５０】
また、図１０または図１１に示すように、前記後側通路部材９４の前板部９５には、前記左側枠部５４に形成された上下の固定突部６５,６６のネジ孔６５ａ,６６ａの夫々に整列する位置に、前後に貫通する通孔９５ｂ,９５ｂが形成されている。すなわち、前記前側通路部材８３を装飾板部５３の左側枠部５４に対して位置決めすると共に、前側通路部材８３に対して後側通路部材９４を位置決めした状態で、該後側通路部材９４の前板部９５に形成した通孔９５ｂ,９５ｂに挿通したネジを、対応する上下の固定突部６５,６６のネジ孔６５ａ,６６ａに螺挿することで、該前後の通路部材８３,９４が装飾板部５３の左側枠部５４に固定される。このとき、前記後側通路部材９４の前板部９５の前面が前記左側内周壁５６の後端部に当接することで、後側通路部材９４の前方位置が位置規制されてネジ固定時に前側通路部材８３を必要以上に押圧するのを防止し、前後の通路部材８３,９４の相対位置を一定に保持するようになっている。
【００５１】
図１０または図１１に示すように、前記後側通路部材９４の前板部９５には、円柱状の嵌合突部９９が後方へ突出するよう形成されている。この嵌合突部９９は、前記前側通路部材８３の第２の連通孔９４よりも上方に設けられており、前後の通路部材８３,９４を装飾部材５０の左側枠部５４に配設した状態で、該嵌合突部９９が左側装飾板部５５の後側に位置して前側から視認不能に被覆される。この嵌合突部９９は、前記裏ユニット３３の表カバー体３５に形成した筒状突部４６の挿入孔４６ａに嵌合するよう構成されて、該嵌合突部９９が筒状突部４６の挿入孔４６ａに嵌合することで、前記後側通路部材９４の側板部９６が表カバー体３５における左側枠４１の開口端縁側(右端縁側)に整合するよう位置合わせされる。このとき、前記裏ユニット３３(表カバー体３５)に配設された前記側部発光装置４３のＬＥＤ４３ｂが第１球通路８３ａに沿って位置し、該ＬＥＤ４３ｂの点灯・点滅により第１および第２球通路８３ａ,９４ａが後方から照明されるようになっている。そして、前記後側通路部材９４の側板部９６と左側枠部５４の左側内周壁５６(裏ユニット３３)との間に形成される間隙Ｓに、前記側部発光装置４３のコネクタソケット４３ｃが位置するよう構成されて、該コネクタソケット４３ｃの前側が前記左側装飾板部５５で覆われて前面側から視認不能とされる。
【００５２】
また、前記後側通路部材９４の側板部９６の後側下端部には、左右に開口する切欠き部９６ｃが形成されて、該切欠き部９６ｃに、前記ステージ１０１に形成される位置決め当接部１０９(後述)を挿入し得るようになっている(図２２参照)。また、前記後側通路部材９４の前板部９５には、前記筒状部９７の下方位置に、後端部にネジ孔１００ａを有するネジ固定部１００が形成されており、前記切欠き部９６ｃに臨ませた位置決め当接部１０９がネジ固定部１００にネジ止めされる。
【００５３】
(ステージについて)
次に、前記装飾部材５０の下側枠部５７に設けられる前記ステージ１０１について説明する。図４に示すように、前記ステージ１０１は、前記球誘導部８０(後側通路部材９４)の球出口８０ｂに連通して、該球誘導部８０の球通路８３ａ,９４ａを通過したパチンコ球が到来する第１球転動部(最上段の球転動部)１０３と、該第１球転動部１０３より下方に位置して当該第１球転動部１０３から排出されたパチンコ球が到来する第２球転動部(上段球転動部)１０４と、該第２球転動部１０４より下方に位置して当該第２球転動部１０４から排出されたパチンコ球が到来する第３球転動部(下段球転動部)１１３と、該第３球転動部１１３より下方に位置して当該第３球転動部１１３から排出されたパチンコ球が到来する第４球転動部(最下段の球転動部)１２３とを備えて、第１〜第４球転動部１０３,１０４,１１３,１２３の夫々が左右方向に延在するよう形成される。すなわち、実施例に係るステージ１０１は、上下に離間した３段以上の球転動部１０３,１０４,１１３,１２３を備えて、上段に位置する球転動部から下段に位置する球転動部へパチンコ球が順次移動するよう構成されている。そして、実施例では、図１５に示すように、前記第１球転動部１０３および第２球転動部１０４が第１ステージ部材１０２に一体形成されると共に、前記第３球転動部１１３および第４球転動部１２３は、独立した第２ステージ部材１１２および第３ステージ部材１２２に夫々形成されている。
【００５４】
(第１ステージ部材について)
前記第１ステージ部材１０２に形成される第１球転動部１０３は、図１５または図１６に示すように、前記球誘導部８０の球出口８０ｂから前記側部可動演出装置４２Ｂを保護する球用保護壁６３までの間の全長に亘って左右方向に延在するよう形成されている。また、前記第１球転動部１０３は、上下方向に緩やかに起伏する波形に形成されて、該第１球転動部１０３上のパチンコ球は、上下方向に変位しながら左右に転動するようになっている。ここで、実施例に係る第１球転動部１０３は、上方に突出した凸形状部分(山状の部分)が１箇所設けられると共に、下方に突出した凹形状部分(谷状の部分)を凸形状部分の左右両側部の２箇所に備えた起伏形状に形成されている。なお、前記第１球転動部１０３は、前記球誘導部８０の球出口８０ｂに接続する端部(すなわち左端部)および前記球用保護壁６３側の端部(すなわち右端部)が大きな曲率で凹状に湾曲するよう形成されている。すなわち、前記第１球転動部１０３の左端部が大きく傾斜させることで、前記球誘導部８０の球出口８０ｂを通出したパチンコ球を勢いよく第１球転動部１０３上を転動させ、当該第１球転動部１０３の右端部を大きく傾斜させることで、第１球転動部１０３を転動するパチンコ球が球用保護壁６３に接触するのを防止している。
【００５５】
図１５または図１６に示すように、前記第１球転動部１０３は、凸形状部分の傾斜両下端部(すなわち左右の各凹形状部分)に、前側(遊技盤２０の盤面に対して直交する盤面前方)へ下方傾斜する左右の第１凹溝部(第１案内部、第１の最上段案内部)１０３ａ,１０３ａが夫々形成されている。また、前記第１球転動部１０３おける凸形状部分の頂部にも同様に、前側へ下方傾斜する誘導溝部(第６案内部、第２の最上段案内部)１０３ｂが形成されている。そして、前記第１球転動部１０３の前端部には、前記左右の第１凹溝部１０３ａ,１０３ａと誘導溝部１０３ｂと対応する位置を除いて、上方に突出する第１の球移動規制片１０３ｃが形成されている。また、前記第１球転動部１０３の後端部に、前記裏ユニット３３(表カバー体３５)の前面板３６が当接して、該第１球転動部１０３上を転動するパチンコ球の後方移動を規制している。すなわち、前記裏ユニット３３(表カバー体３５)の前面板３６が前記第１球転動部１０３の後側壁を構成して、該第１球転動部１０３を転動するパチンコ球は、第１凹溝部１０３ａ,１０３ａまたは誘導溝部１０３ｂを介してのみ第１球転動部１０３の前方へ排出されるようになっている。なお、前記第１球転動部１０３は、前記裏ユニット３３(表カバー体３５)に設けられた前記下部発光装置４４のＬＥＤ４４ｂよりも上方に位置している。
【００５６】
前記第２球転動部１０４は、図１５または図１６に示すように、前記第１球転動部１０３の前側下方に設けられて、前記左右の第１凹溝部１０３ａ,１０３ａ間に亘って左右方向に延在するよう形成されており、第１凹溝部１０３ａ,１０３ａまたは誘導溝部１０３ｂから第１球転動部１０３の前方へ排出されたパチンコ球が第２球転動部１０４上に移動して、該第２球転動部１０４上を左右方向に転動するよう構成される。また、前記第２球転動部１０４は、前記左右の第１凹溝部１０３ａ,１０３ａの対応位置から左右方向の略中央位置に向けて下方傾斜する凹形状に形成されている。また、前記第２球転動部１０４の前端部および左右の端部には、上方へ向けて突出する第２の球移動規制片１０４ｂが形成されており、前記第１凹溝部１０３ａ,１０３ａや誘導溝部１０３ｂを介して第２球転動部１０４に到来したパチンコ球が、前方や左右側方に排出されるのを第２の球移動規制片１０４ｂで規制している。また、前記第２球転動部１０４の後端部には、該後端縁に沿って上方へ突出する第１の仕切り壁１０５が形成されており、該第２球転動部１０４を転動するパチンコ球の後方移動を規制するようになっている。なお、前記第１の仕切り壁１０５は、前記第１球転動部１０３の前端部に連接されて、第１ステージ部材１０２の剛性を高める補強部としても機能している。
【００５７】
また、前記第２球転動部１０４の左右方向の略中央位置(凹形状の第２球転動部１０４の傾斜下端部)には、後方へ向けて下方傾斜する第２凹溝部(第２案内部、上段案内部)１０４ａが形成されている。すなわち、前記第２凹溝部１０４ａは、遊技盤２０の盤面に対する前後方向において第１凹溝部１０３ａ,１０３ａとは逆方向に下方傾斜している。従って、前記第１凹溝部１０３ａ,１０３ａを介して第２球転動部１０４に到来したパチンコ球は、前記第２凹溝部１０４ａへ向けて転動する。また、前記第１球転動部１０３の誘導溝部１０３ｂは、第２凹溝部１０４ａの上方に位置して、該誘導溝部１０３ｂから排出されたパチンコ球は第２凹溝部１０４ａ上に直接落下するようになっている。
【００５８】
ここで、前記第１の仕切り壁１０５には、前記第２凹溝部１０４ａの傾斜下端部に対応する位置に、前後に開口する球通過口１０６が開設されており(図１５参照)、該第２球転動部１０４上のパチンコ球が第２凹溝部１０４ａおよび球通過口１０６を介して前方へ排出されるようになっている。そして、前記球通過口１０６の左右方向の開口幅は、複数個のパチンコ球が一度に通過可能な幅寸法に設定されている。実施例では、パチンコ球の直径の複数個分(例えば３個〜４個分程度)の開口幅となるよう前記球通過口１０６が開設されている。また、前記第２凹溝部１０４ａは、前記球通過口１０６に近接するにつれて左右の幅が拡大するよう形成されている。
【００５９】
また、図１６に示すように、前記第２球転動部１０４における下面側の後端部には、前記球通過口１０６の左右の開口縁部と整合する位置に、下方へ突出する左右一対の第２の仕切り壁１０７,１０７が形成されている。前記一対の第２の仕切り壁１０７,１０７の下端部は、相互に離間する方向に下方傾斜するよう形成されており、前記第３ステージ部材１２２の第３球転動部１１３に、該第２の仕切り壁１０７,１０７の下端部が当接するよう構成される。また、前記第２の仕切り壁１０７,１０７の下端部には、下方へ向けてステージ側固定突部(第１ボス)１０７ａ,１０７ａが突設されており、ステージ側固定突部１０７ａ,１０７ａの下端部にネジ孔１０７ｂが形成されている。
【００６０】
また、前記第１ステージ部材１０２には、前記第１球転動部１０３の左後端部に、左方に突出する位置決め当接部１０９が形成されている。この位置決め当接部１０９は、前記第１球転動部１０３の傾斜上端部を前記後側通路部材９４に形成した前記切欠き部９６ｃに臨ませた際に、該後側通路部材９４(筒状部９７)の底面板９８の下面に当接するよう構成される(図２２参照)。また、前記位置決め当接部１０９には、前記後側通路部材９４(筒状部９７)の底面板９８の下面に前記第１球転動部１０３の傾斜上端部および位置決め当接部１０９を当接させた状態で、該後側通路部材９４に形成したネジ固定部１００のネジ孔１００ａと整列する位置に前後に貫通する通孔１０９ａが形成されている。すなわち、前記位置決め当接部１０９の通孔１０９ａに挿通したネジを前記ネジ固定部１００のネジ孔１００ａに螺挿することで、第１ステージ部材１０２と後側通路部材９４とが連結固定される。この状態で、前記球誘導部８０の球出口８０ｂが第１球転動部１０３の上方で開口すると共に、該球出口８０ｂと第１球転動部１０３との間に段差が形成されて、球出口８０ｂを通過したパチンコ球が球誘導部８０(後側通路部材９４)と第１球転動部１０３との境界位置で滞ることなく速やかに第１球転動部１０３上に移動するようになっている。
【００６１】
(第２ステージ部材について)
図１５,図１７または図１９に示すように、前記第２ステージ部材１１２は、前記下側内周壁５９における第１の壁部５９ａの右端部から前記球用保護壁６３までの間に亘って左右方向に延在し、前記第２球転動部１０４の後側下方に位置する第３球転動部１１３と、該第３球転動部１１３の前端部から下方へ延出する前面部１１４とが設けられている。前記第３球転動部１１３は、上下方向に緩やかに起伏する波形に形成されて、該第３球転動部１１３上のパチンコ球は、上下方向に変位しながら左右に転動するようになっている。ここで、実施例に係る第３球転動部１１３は、上方に突出した凸形状部分(山状の部分)が１箇所設けられると共に、下方に突出した凹形状部分(谷状の部分)が凸形状部分の左右両側部の２箇所に備えた起伏形状に形成されている。そして、図１７に示すように、前記第３球転動部１１３は、凸形状部分の傾斜両下端部(すなわち左右の各凹形状部分)に、前側(遊技盤２０の盤面に対して直交する盤面前方)へ下方傾斜する左右の第３凹溝部(第３案内部、第１の下段案内部)１１３ａ,１１３ａが夫々形成されている。この第３凹溝部１１３ａは、始動入賞装置２６の入賞口２６ａの左右側方へパチンコ球を排出可能な第２球排出経路部を構成している。
【００６２】
また、前記第２ステージ部材１１２には、図１７に示すように、前記第３球転動部１１３における凸形状部分の頂部に、上方および前方へ開放する溝部１１６ａが形成されると共に、該溝部１１６ａの下端部から前方へ突出する舌片部１１６ｂが形成されて、当該溝部１１６ａおよび舌片部１１６ｂにより、パチンコ球が通過可能な後側球通路１１５が形成される。ここで、前記後側球通路１１５は、前記舌片部１１６ｂの前端部が前記装飾部材５０に形成された前記前側球通路７２の後端部(下側内周壁５９における左右一対の通路画成壁７１,７１間の後端部)に当接するよう構成されて、前側球通路７２および後側球通路１１５が連通するようになっている。すなわち、前記後側球通路１１５は、パチンコ球を前記始動入賞装置２６の入賞口２６ａへ向けて案内する第１球排出経路部の一部を構成している。なお、前記後側球通路１１５は、１個のパチンコ球が通入可能な開口寸法で前記第３球転動部１１３上に後側球通路１１５に連通する開口部１１３ｂが上方へ開口するよう形成されると共に、該後側球通路１１５の上方開口部１１３ｂが前記第１ステージ部材１０２に形成された球通過口１０６の左右開口幅の略中央位置に整列する位置に形成されている。また、前記第３球転動部１１３には、前記後側球通路１１５における上方開口部１１３ｂの開口縁部に沿って、上方に突出する環状突片１１３ｃが形成されている。すなわち、前記球通過口１０６を通過したパチンコ球が後側球通路１１５へ直接通入するのを許容する一方で、前記第３球転動部１１３上を転動するパチンコ球が後側球通路１１５へ通入するのを困難にしている。なお、前記後側球通路１１５には、パチンコ球を前側球通路７２に向けて下方傾斜するガイド１１５ａ,１１５ａが形成されており、該ガイド１１５ａを介してパチンコ球が後側球通路１１５から前側球通路７２にスムーズに案内されるようになっている。
【００６３】
ここで、前記第３球転動部１１３の後端部に、前記裏ユニット３３(表カバー体３５)の前面板３６が当接して、該第３球転動部１１３上を転動するパチンコ球の後方移動を規制している（図４または図２０参照）。すなわち、前記裏ユニット３３(表カバー体３５)の前面板３６が前記第３球転動部１１３の後側壁を構成して、該第３球転動部１１３を転動するパチンコ球は、第３凹溝部１１３ａ,１１３ａまたは後側球通路１１５を介してのみ第３球転動部１１３の前方へ排出されるようになっている。なお、前記第３球転動部１１３は、前記裏ユニット３３(表カバー体３５)に設けられた前記下部発光装置４４のＬＥＤ４４ｂよりも下方に位置して、該下部発光装置４４のＬＥＤ４４ｂが前記第１球転動部１０３と第３球転動部１１３との間に位置するよう構成される。
【００６４】
また、図１５または図１７に示すように、前記第３球転動部１１３には、前記後側球通路１１５の上方開口部１１３ｂから前記第３凹溝部１１３ａ,１１３ａへ向けて下方傾斜する左右の傾斜面上に、前記第１ステージ部材１０２の第２の仕切り壁１０７,１０７に設けたステージ側固定突部１０７ａ,１０７ａを嵌合可能な嵌合凹部(第１嵌合凹部)１１３ｄ,１１３ｄが上方に開口するよう形成される。そして、この嵌合凹部１１３ｄ,１１３ｄには、ステージ側固定突部１０７ａ,１０７ａのネジ孔１０７ｂ,１０７ｂに整列する通孔１１３ｅ,１１３ｅが上下に貫通するよう形成されている。すなわち、前記第２ステージ部材１１２の各嵌合凹部１１３ｄに第１ステージ部材１０２の対応するステージ側固定突部１０７ａを嵌合させて、該嵌合凹部１１３ｄの通孔１１３ｅに挿通したネジを対応のステージ側固定突部１０７ａのネジ孔１０７ｂに螺挿することで、該第１ステージ部材１０２および第２ステージ部材１１２が連結固定される。
【００６５】
ここで、前記第２ステージ部材１１２の嵌合凹部１１３ｄは、前記第３球転動部１１３の前端部側に偏倚した位置に設けられて、第３球転動部１１３上における前記第２の仕切り壁１０７,１０７の後方側をパチンコ球が転動するようになっている(図２０参照)。すなわち、前記第２の仕切り壁１０７,１０７は、第３球転動部１１３上を転動するパチンコ球が前方へ移動するのを規制する球移動規制片として機能している。なお、第１ステージ部材１０２と第２ステージ部材１１２とを連結固定した状態では、前記第２の仕切り壁１０７,１０７の下端部が、前記後側球通路１１５における上方開口部１１３ｂの左右の開口縁から第３凹溝部１１３ａ,１１３ａに至る部位に当接して、安定して固定されるようになっている。
【００６６】
そして、図２０に示すように、前記第１ステージ部材１０２と第２ステージ部材１１２とを連結した状態では、第１ステージ部材１０２に設けられた前記第１球転動部１０３の下方に上下に重なるよう前記第３球転動部１１３が位置し、該第３球転動部１１３より前側に偏倚した位置に前記第２球転動部１０４が位置するよう構成されている。また、前記第３球転動部１１３に形成された前記球入口８０ａは、前記球通過口１０６の後方において、該球通過口１０６の左右方向の略中央に位置して上方に開口するようになっている。すなわち、前記第２球転動部１０４を転動して球通過口１０６を通過したパチンコ球は、前記球入口８０ａに直接通入するか、第３球転動部１１３上に移動する。すなわち、前記第３球転動部１１３上に移動したパチンコ球は、該第３球転動部１１３の傾斜により第３凹溝部１１３ａ,１１３ａへ向けて転動し、該第３凹溝部１１３ａ,１１３ａから前方へ排出されるようになっている。
【００６７】
前記第２ステージ部材１１２の前面部１１４には、図１５,図１７または図１９に示すように、前記後側球通路１１５を挟む両側に、前方へ突出する台状の支持突部１１７,１１７が形成されており、該支持突部１１７,１１７の上面に前記第４球転動部１２３の下面が当接支持されるようになっている。また、前記左右の支持突部１１７,１１７と、前記後側球通路１１５の舌片部１１６ｂとの間には、上下に開口する溝状部(位置決め凹部)１１８が前後方向に延在するよう形成されている。この溝状部１１８には、前記第３ステージ部材１２２の第２の位置決め片１２８,１２８(後述)が差し込まれることで、第２ステージ部材１１２および第３ステージ部材１２２を位置決めする位置決め手段として機能する(図２３参照)。
【００６８】
また、前記各支持突部１１７の前面には、前記装飾部材５０の下側枠部５７に形成した前記内側固定突部７３の後端部が嵌合可能な嵌合凹部(第２嵌合凹部)１１７ａが夫々形成されると共に、該嵌合凹部１１７ａには、対応の内側固定突部７３のネジ孔７３ａに前後に整列する位置に、前後に貫通する通孔１１７ｂが形成されている。すなわち、前記第２ステージ部材１１２の支持突部１１７に形成された前記嵌合凹部１１７ａに、前記下側枠部５７に形成した対応の内側固定突部７３を嵌合させて、該嵌合凹部１１７ａの通孔１１７ｂに挿通したネジを対応の内側固定突部７３のネジ孔７３ａに螺挿することで、第２ステージ部材１１２が装飾板部５３の下側枠部５７に固定される。このとき、前記支持突部１１７が前記下側内周壁５９の後端部に当接して、第２ステージ部材１１２を安定して支持するようになっている。
【００６９】
また、前記第２ステージ部材１１２の左右両端部には、上方へ突出する突出支持片(第２の支持片)１１９,１１９が形成されている。この突出支持片１１９,１１９は、第１ステージ部材１０２と第２ステージ部材１１２とを連結した際に、前記第１球転動部１０３(第１ステージ部材１０２)の下面に当接して、該第１球転動部１０３を支持するようになっている。すなわち、前記突出支持片１１９,１１９が第１球転動部１０３の下面に当接して支持することで、該第１球転動部１０３上をパチンコ球が転動する際に、第１球転動部１０３の撓み等の変形を防止するようになっている。
【００７０】
更に、図１７または図１９に示すように、前記第２ステージ部材１１２の左端部には、左方向へ突出する突片１２０が形成されており、該突片１２０に、前記装飾部材５０に形成した前記第１の固定ボス７８のネジ孔７８ａに前後に整列する通孔１２０ａが前後に貫通するよう形成されている。また、前記第２ステージ部材１１２の右端部(前面部１１４の右端部)には、前方へ開口する嵌合凹部１１４ａが形成されて、該嵌合凹部１１４ａに前記装飾部材５０に形成した前記第２の固定ボス７９の後端部が嵌合するよう構成されると共に、該嵌合凹部１１４ａには、該第２の固定ボス７９のネジ孔に整列する位置に通孔１１４ｂが前後に貫通するよう形成されている。すなわち、前記第２の固定ボス７９を対応の嵌合凹部１１４ａに嵌合すると共に、突片１２０および嵌合凹部１１４ａの通孔１２０ａ,１１４ｂに挿通したネジを対応する第１および第２の固定ボス７８,７９のネジ孔７８ａに螺挿することで、第２ステージ部材１１２の左右端部が装飾部材５０の下側枠部５７に固定される。
【００７１】
(第３ステージ部材について)
前記第３ステージ部材１２２は、図１５,図１８または図１９に示すように、前記下側内周壁５９の第１の壁部５９ａの右端部から前記球用保護壁６３までの間に亘って左右方向に延在し、前記第３球転動部１１３の前側下方に位置する第４球転動部１２３と、該第４球転動部１２３の前端部から下方へ延出する支持片１２４,１２４とが設けられている。すなわち、前記第４球転動部１２３は、前記第３球転動部１１３の左右の第３凹溝部１１３ａ,１１３ａ間に亘って左右方向に延在して、第３凹溝部１１３ａ,１１３ａから第３球転動部１１３の前方へ排出されたパチンコ球が第４球転動部１２３上に移動して、該第４球転動部１２３上を左右方向に転動し得るよう構成される。前記第４球転動部１２３は、上下方向に緩やかに起伏する波形に形成されて、該第４球転動部１２３上のパチンコ球は、上下方向に変位しながら左右に転動するようになっている。ここで、実施例に係る第４球転動部１２３は、上方に突出した凸形状部分(山状の部分)が１箇所設けられると共に、下方に突出した凹形状部分(谷状の部分)が凸形状部分の左右両側部の２箇所に備えた起伏形状に形成されている。
【００７２】
そして、図１５または図１８に示すように、前記第４球転動部１２３おける凸形状部分の頂部には、前記後側球通路１１５の前方開口と対応する位置に、切欠き案内部(第４案内部、第１の最下段案内部)１２３ｂが形成されており、該切欠き案内部１２３ｂを通過したパチンコ球が後側球通路１１５に通入するようになっている。また、前記第４球転動部１２３は、凸形状部分の傾斜両下端部(すなわち左右の各凹形状部分)に、前側(遊技盤２０の盤面に対して直交する盤面前方)へ下方傾斜する左右の第４凹溝部(第５案内部、第２の最下段案内部)１２３ａ,１２３ａが夫々形成されている。なお、前記装飾部材５０における下側枠部５７の下側装飾板部５８は、前記第４球転動部１２３の左端部から左側の第４凹溝部１２３ａまでの間および第４球転動部１２３の右端部から右側の第４凹溝部１２３ａまでの間において、当該第４球転動部１２３より上方まで延在するよう構成されている。すなわち、前記下側装飾板部５８が前記第４球転動部１２３を転動するパチンコ球の前方移動を規制する球移動規制片として機能して、該第４球転動部１２３上を転動するパチンコ球は、前記切欠き案内部１２３ｂを介して後側球通路１１５に排出されるか、前記第４凹溝部１２３ａ,１２３ａから第４球転動部１２３の前方(遊技領域２０ａ)へ排出されるようになっている。なお、前記第２ステージ部材１１２に形成される前記支持突部１１７,１１７は、前記第４球転動部１２３における前記第４凹溝部１２３ａ,１２３ａの下面側を当接支持するよう構成されると共に、該支持突部１１７,１１７の上面は、該第４凹溝部１２３ａ,１２３ａの凹形状に合わせて窪んだ凹状に形成されて、第４凹溝部１２３ａ,１２３ａの下面の広範囲に亘って支持突部１１７,１１７で支持されるようになっている。
【００７３】
なお、前記第４凹溝部１２３ａ,１２３ａは、前記始動入賞装置２６における入賞口２６ａの左右側部の上方に位置するよう形成されて、該第４凹溝部１２３ａ,１２３ａから入賞口２６ａの左右側部に向けて排出される。すなわち、第４凹溝部１２３ａ,１２３ａから遊技領域２０ａ内に排出されたパチンコ球は、遊技釘との接触により流下方向が変化することで入賞口２６ａに入賞する可能性が生ずる。従って、前記第１球排出経路部を構成する後側球通路１１５を介して遊技領域２０ａに排出されるパチンコ球に較べて、前記第４凹溝部１２３ａ,１２３ａから遊技領域２０ａに排出されるパチンコ球は、前記始動入賞装置２６の入賞口２６ａに入賞し難くなっている。すなわち、前記切欠き案内部１２３ｂを介して後側球通路１１５に移動したパチンコ球は、前記前側球通路７２に移動して、前記始動入賞装置２６の入賞口２６ａの鉛直上方位置に位置する前記下側装飾板部５８の開口５８ａを介して排出されることで該入賞口２６ａに入賞し易くなる一方、第４凹溝部１２３ａから排出されるパチンコ球は、始動入賞装置２６の入賞口２６ａの左右側方へ向けて排出されて、入賞口２６ａに入賞し難くなる。このように、前記切欠き案内部１２３ｂおよび第４凹溝部１２３ａを第４球転動部１２３に設けることで、前記第３球転動部１１３上に移動したパチンコ球を始動入賞装置２６の左右側方へ向けて排出可能な第２球排出経路部を構成する。
【００７４】
前記第４球転動部１２３の下面には、前記装飾部材５０の下側内周壁５９における第２の壁部５９ｂに形成した前記第２の枠側切欠き凹部７０,７０に対応した位置に、下方へ延出する当接片１２５,１２５が夫々形成されており、該第２の壁部５９ｂの各第２の枠側切欠き凹部７０,７０の後端部に対応の当接片１２５,１２５が当接するようになっている。前記各当接片１２５には、前記下側枠部５７に形成した外側固定突部７４のネジ孔７４ａに整列する位置に前後に貫通する通孔１２５ｂが形成されると共に、該下側枠部５７に形成した下側位置決め突部７５の小径突部７５ｂを嵌合可能な位置決め孔(ステージ側位置決め孔)１２５ａが前後に貫通して形成されている。すなわち、前記各当接片１２５の位置決め孔１２５ａに位置決め突部７５の小径突部７５ｂを嵌合すると共に、該当接片１２５の通孔１２５ｂに挿通したネジを前記外側固定突部７４のネジ孔７４ａに螺挿することで、第３ステージ部材１２２が下側枠部５７に固定される。なお、前記当接片１２５の左右の幅寸法は、前記第２の枠側切欠き凹部７０の左右の開口幅と略一致するよう形成されており、当接片１２５が第２の枠側切欠き凹部７０の左右の端部に当接して前側第３ステージ部材１２２の左右移動を規制するよう構成されている。
【００７５】
ここで、図１９に示すように、前記各当接片１２５,１２５は、前記第３球転動部１１３の第３凹溝部１１３ａ,１１３ａの前側に位置するよう形成されて、該第３凹溝部１１３ａ,１１３ａを通過したパチンコ球は、第４球転動部１２３上において該当接片１２５,１２５の形成位置近傍に落下するようになっている。すなわち、装飾部材５０の下側枠部５７に対する第３ステージ部材１２２の固定位置の近傍にパチンコ球が到来することで、パチンコ球の到来時の衝撃を確実に受け止め得るようになっている。
【００７６】
また、前記第３ステージ部材１２２(第４球転動部１２３)の左端部には、図１８に示すように、前記下側枠部５７に形成したスリット７７ａに対して差し込み可能な係合突部１２６が形成されている。この係合突部１２６は、左方向に突出する差し込み片１２６ａと、該差し込み片１２６ａの左端部から上方向に突出する係止片１２６ｂとから構成されて、前記スリット７７ａの後方開口端から差し込み片１２６ａを差し込むことで、係止片１２６ｂが下側枠部５７の接続壁７７に係止されて、該下側枠部５７に対して第３ステージ部材１２２が位置決めされるようになっている。また、前記第３ステージ部材１２２(第４球転動部１２３)の右端部には、下方へ延出する延出片１２９が形成されて、該延出片１２９が前記球用保護壁６３に当接するようになっている。
【００７７】
図１８に示すように、前記第４球転動部１２３の下面には、前記下側枠部５７に形成した前記左右一対の通路画成壁７１,７１の外面に当接する左右一対の第１の位置決め片１２７,１２７が下方へ向けて延出するよう形成されている。すなわち、前記左右の第１の位置決め片１２７,１２７の夫々が、対応する通路画成壁７１,７１の外面に当接することで、前記装飾部材５０の下側枠部５７と第３ステージ部材１２２とが位置決めされる(図２３参照)。
【００７８】
また、前記第４球転動部１２３の下面には、図１８に示すように、前記切欠き案内部１２３ｂの左右端縁から下方へ延出する左右一対の第２の位置決め片１２８,１２８が形成されている。前記一対の第２の位置決め片１２８,１２８は、前記第２ステージ部材１１２に形成された前記舌片部１１６ｂと左右の支持突部１１７,１１７との間に形成される前記溝状部１１８,１１８に差し込まれて、該第２の位置決め片１２８,１２８が舌片部１１６ｂの左右の端縁に対応的に当接するよう構成されている。すなわち、図２３に示すように、前記左右の第２の位置決め片１２８,１２８が前記舌片部１１６ｂの左右の端縁に当接することで、第２ステージ部材１１２および第３ステージ部材１２２が位置決めされると共に、該左右の第２の位置決め片１２８,１２８が前記後側球通路１１５の左右側壁を画成するようになっている。また、前記左右の第２の位置決め片１２８,１２８の前端部は、前記下側枠部５７に形成された対応する左右の通路画成壁７１,７１の後端部に当接するよう構成される。このとき、前記第２ステージ部材１１２に形成された前記舌片部１１６ｂの前端部が前記下側内周壁５９における第２の壁部５９ｂの後端部に当接して、前記後側球通路１１５と前側球通路７２とが連通して第１球排出経路部が形成されるようになっている。
【００７９】
〔実施例の作用〕
次に、前述のように構成された実施例に係るパチンコ機の作用について説明する。
【００８０】
前記装飾部材５０における左側枠部５４の前面に、前記球誘導部８０を構成する球導入通路部８１を一体または別部材として設けて、球誘導路８１ａを球入口８０ａおよび第１の連通孔８１ｂに連通する状態で形成する。この状態で、前記左側枠部５４における左側装飾板部５５の裏面に、前記球案内通路部８２を構成する前側通路部材８３の前板部８４を当接させる。このとき、前記左側枠部５４に形成した前記上側位置決め突部６７の小径突部６７ｂが前記前側通路部材８３の第１の支持板９０に形成した位置決め孔９０ａに嵌合すると共に、左側枠部５４に形成した前記下側位置決め突部６８の小径突部６８ｂが前側通路部材８３の第２の支持板９１に形成した位置決め孔９１ａに嵌合する。更に、前記左側枠部５４に形成した前記上側固定突部６５が前記前側通路部材８３の第１の支持板９０に形成した切欠き部９０ｃに嵌合すると共に、左側枠部５４に形成した前記下側固定突部６６が前側通路部材８３の第３の支持板９２に形成した切欠き部９２ａに嵌合する。これにより、前側通路部材８３の第１球通路８３ａが左側枠部５４から前面に露出する位置に前側通路部材８３が位置決めされる。
【００８１】
このとき、前記前側通路部材８３における前記第１および第３の支持板９０,９２の突出端部が、前記左側枠部５４における左側内周壁５６の内周面に夫々当接すると共に、該左側内周壁５６に形成された前記第１の枠側切欠き凹部６９に前側通路部材８３の第２の支持板９１が嵌合することで、前側通路部材８３を位置ズレすることなく安定して保持することができる。また、前記第１の支持板９０および第３の支持板９２は、前記前側通路部材８３の上下および前後に離間する位置に形成されおり、該第１および第３の支持板９０,９２の切欠き部９０ｃ,９２ａに前記上下の固定突部６５,６６が嵌合することで、左側枠部５４に位置決めされた前側通路部材８３の安定性が向上する。
【００８２】
そして、前記前側通路部材８３の後側に前記後側通路部材９４を臨ませて、該前側通路部材８３に形成した３つの突起部８５ａ,９０ｂ,９１ｂの夫々を、後側通路部材９４の前板部９５に形成した位置決め孔９５ａ,９５ａ,９５ａに嵌合させることで、前側通路部材８３の後方開口を後側通路部材９４の前板部９５で閉鎖して第１球通路８３ａを画成すると共に、該第１球通路８３ａの下端部に第２球通路９４ａが連通する位置関係で、前後の通路部材８３,９４が位置決めされる。この位置決めされた状態で、前記後側通路部材９４に形成した各通孔９５ｂ,９５ｂに挿通したネジを、前記左側枠部５４に形成した対応する上下の固定突部６５,６６のネジ孔６５ａ,６６ａに螺挿することで、後側通路部材９４が左側枠部５４に固定される。このとき、前記前側通路部材８３は、前記左側枠部５４の左側装飾板部５５と後側通路部材９４の前板部９５との間に挟み込まれるから、該後側通路部材９４と一体的に前側通路部材８３も左側枠部５４に固定される。
【００８３】
ここで、前記後側通路部材９４の前板部９５を前記左側内周壁５６の後端部に当接するよう構成してあるから、ネジ固定した際の後側通路部材９４の前側位置が位置規制され、左側装飾板部５５との間に挟み込まれる前側通路部材８３に過剰な締め付け力が掛かるのが防止される。すなわち、前側通路部材８３の変形等が防止されるから、前側通路部材８３に画成される第１球通路８３ａを確実にパチンコ球が通過でき、また第１球通路８３ａから第２球通路９４ａにパチンコ球を確実に移動させることができ、球誘導部８０内でのパチンコ球の球詰まりを防止できる。
【００８４】
また、前記前側通路部材８３の底面板８９に形成した第１ガイド８９ａ,８９ｂの後端となる傾斜下端部を、前記後側通路部材９４(筒状部９７)の底面板９８に形成した第２ガイド９８ａ,９８ｂの前端となる傾斜上端より上方に位置するよう構成してある。すなわち、第１ガイド８９ａ,８９ｂと第２ガイド９８ａ,９８ｂとの間に、第２ガイド９８ａ,９８ｂの方が低くなる段差を設けたことで、前後の通路部材８３,９４(第１球通路８３ａと第２球通路９４ａ)の継ぎ目となる第１ガイド８９ａ,８９ｂと第２ガイド９８ａ,９８ｂとの間でパチンコ球が球詰まりするのを防止して、パチンコ球を確実に流下させることができる。また、前記第１および第２ガイド８９ａ,８９ｂ,９８ａ,９８ｂの夫々を、各対応の底面板８９,９８から上方に突出する２本の突条としたことで、該第１および第２ガイド８９ａ,８９ｂ,９８ａ,９８ｂに沿ってパチンコ球が確実に案内されるから、パチンコ球の球詰まりを効果的に防止できる。
【００８５】
また、前記後側通路部材９４に形成される前記第２ガイド９８ａ,９８ｂは、前記第２球通路９４ａの前端から球出口８０ｂの前側開口端縁まで延在させるよう形成されているから、該第２ガイド９８ａ,９８ｂに沿って案内されたパチンコ球は、球出口８０ｂまで移動した時点で、後側通路部材９４(筒状部９７)の底面板９８に移動する。この底面板９８は、球出口８０ｂに向けて下方傾斜するよう形成されているから、該底面板９８に到来したパチンコ球は、当該底面板９８の傾斜に沿って球出口８０ｂに移動して、前記ステージ１０１に向けて排出される。すなわち、前記第２ガイド９８ａ,９８ｂにより第２球通路９４ａの延在方向に沿ってパチンコ球を球出口８０ｂと対応する位置まで確実に移動させ得ると共に、底面板９８の傾斜により第２球通路９４ａの延在方向に対して交差する位置に開設した球出口８０ｂへパチンコ球を転動させてステージ１０１に確実に誘導できる。ここで、前記第１および第２ガイド８９ａ,８９ｂ,９８ａ,９８ｂ上のパチンコ球は、左側に寄った状態で移動し、前記球出口８０ｂの形成位置(第２ガイド９８ａ,９８ｂの傾斜下端部)において前記後側通路部材９４(筒状部９７)の底面板９８の傾斜上端側に到来する。すなわち、前記底面板９８上を転動するパチンコ球の転動距離を最大限まで長くでき、前記球出口８０ｂを通過する時点でのパチンコ球の勢いを増大させることができる。すなわち、球誘導部８０の球出口８０ｂを勢いよくパチンコ球が通過することで、前記ステージ１０１(第１球転動部１０３)の左右幅の全体を利用してパチンコ球を移動させ得るようになる。
【００８６】
前記ステージ１０１を構成する第１ステージ部材１０２に形成された前記第２の仕切り壁１０７のステージ側固定突部１０７ａ,１０７ａを、前記第２ステージ部材１１２の第３球転動部１１３に形成された嵌合凹部１１３ｄ,１１３ｄに夫々嵌合させて、該嵌合凹部１１３ｄ,１１３ｄに形成した通孔１１３ｅ,１１３ｅに下方から挿通したネジを、該ステージ側固定突部１０７ａ,１０７ａのネジ孔１０７ｂ,１０７ｂに螺挿して、第１ステージ部材１０２および第２ステージ部材１１２を連結固定する。これにより、前記第１ステージ部材１０２の第１球転動部１０３と、第２ステージ部材１１２の第３球転動部１１３とが上下に重なると共に、第３球転動部１１３の前側に第２球転動部１０４が位置し、更に第１ステージ部材１０２に形成された前記球通過口１０６の左右開口幅の略中央位置に、第３ステージ部材１２２に形成された後側球通路１１５の上方開口部１１３ｂが位置する。すなわち、前記各ステージ側固定突部１０７ａおよび嵌合凹部１１３ｄを嵌合させてネジ固定することで、前記第１および第２ステージ部材１０２,１１２が所定の位置関係となる正確に位置合わせされた状態で位置決め固定される。
【００８７】
このとき、前記第２ステージ部材１１２の左右両端部に形成した突出支持片１１９,１１９が前記第１球転動部１０３(第１ステージ部材１０２)の下面に当接して、該第１球転動部１０３を支持している。すなわち、前記突出支持片１１９,１１９が第１球転動部１０３の下面に当接して支持することで、該第１球転動部１０３上をパチンコ球が転動する際に、第１球転動部１０３の撓み等の変形を防止され、パチンコ球が転動した際の第１〜第３球転動部１０３,１０４,１１３の相対的な姿勢を正確な状態に維持できる。
【００８８】
そして、前記装飾部材５０に対しては、前記第３ステージ部材１２２から組み付けられる。前記第３ステージ部材１２２における第４球転動部１２３の前端部に形成した前記支持片１２４,１２４を、前記装飾部材５０における下側枠部５７の下側装飾板部５８の裏側に当接させると共に、該第３ステージ部材１２２に形成した当接片１２５,１２５を、該下側枠部５７における下側内周壁５９(第２の壁部５９ｂ)に形成した第２の枠側切欠き凹部７０,７０に当接させる。このとき、前記下側枠部５７に形成された前記位置決め突部７５,７５の小径突部７５ｂ,７５ｂの夫々が、対応する当接片１２５,１２５の位置決め孔１２５ａ,１２５ａに嵌合して、第３ステージ部材１２２が下側枠部５７に対して位置決めされる。そして、前記当接片１２５,１２５に形成した通孔１２５ｂ,１２５ｂの後方から挿通したネジを、下側枠部５７に形成した前記外側固定突部７４,７４の対応するネジ孔７４ａ,７４ａに螺挿することで、下側枠部５７に対して第３ステージ部材１２２が固定される。
【００８９】
このとき、前記第３ステージ部材１２２の左端部に形成された前記係合突部１２６の差し込み片１２６ａが、前記装飾部材５０の下側枠部５７における接続壁７７に形成したスリット７７ａに後方から差し込まれると共に、該第３ステージ部材１２２に右端部に形成した延出片１２９が球用保護壁６３に当接することで、下側枠部５７に対して第３ステージ部材１２２を正確に位置決めし得る。また、前記下側枠部５７の下側内周壁５９(第２の壁部５９ｂ)に形成した左右一対の通路画成壁７１,７１の外面に、前記第３ステージ部材１２２に形成した前記第１の位置決め片１２７,１２７が当接するよう構成したことで、前記第２の位置決め片１２８,１２８が対応する通路画成壁７１,７１の後端部に当接する位置に、当該下側枠部５７に対して第３ステージ部材１２２が位置決めされる。すなわち、前記通路画成壁７１,７１の間に画成される前側球通路７２が、前記第２の位置決め片１２８,１２８の間に整合する位置に、第３ステージ部材１２２が位置決めされる。
【００９０】
そして、前記第３ステージ部材１２２が固定された下側枠部５７に対して、第１ステージ部材１０２を連結固定した前記第２ステージ部材１１２が固定される。前記第２ステージ部材１１２は、該第２ステージ部材１１２に形成された支持突部１１７,１１７の嵌合凹部１１７ａ１１７ａに、前記下側枠部５７に形成した前記内側固定突部７３,７３を嵌合させて、該支持突部１１７,１１７の通孔１１７ｂ,１１７ｂに後方から挿通したネジ７３を対応の内側固定突部７３,７３のネジ孔７３ａ,７３ａに螺挿することで、当該下側枠部５７に固定される。このとき、前記支持突部１１７,１１７の前面が前記下側枠部５７の下側内周壁５９(第２の壁部５９ｂ)の後端部に当接し、第２ステージ部材１１２が安定して保持される。更に、前記第２ステージ部材１１２の左端部に形成した突片１２０の通孔１２０ａに挿通したネジを、前記下側枠部５７における下側内周壁５９(第１の壁部５９ａ)の後端部に形成した第１の固定ボス７８のネジ孔７８ａに螺挿すると共に、該第２ステージ部材１１２における前面部１１４の右端部に形成した嵌合凹部１１４ａに嵌合する第２の固定ボス７９のネジ孔にネジを螺挿することで、当該第２ステージ部材１１２の左右の端部が下側枠部５７に対して固定される。このように、第２ステージ部材１１２を複数箇所でネジ止めすることで、下側枠部５７に対して強固に固定することができる。
【００９１】
また、前記第２ステージ部材１１２における前記支持突部１１７,１１７と、前記後側球通路１１５を形成する前記舌片部１１６ｂとの間に形成される左右の溝状部１１８,１１８に、前記第３ステージ部材１２２に形成された前記第２の位置決め片１２８,１２８が差し込まれて、該第２の位置決め片１２８,１２８が舌片部１１６ｂの左右両端部に当接するようになっている。すなわち、前記第２の位置決め片１２８,１２８が舌片部１１６ｂの左右両端部に当接することで、第２ステージ部材１１２に形成される後側球通路１１５が第３ステージ部材１２２に形成される第２の位置決め片１２８,１２８の間に整合する。ここで、前述のように、前記第２の位置決め片１２８,１２８の間には、前記通路画成壁７１,７１の間に画成される前側球通路７２に整合しているから、該第２の位置決め片１２８,１２８の間に位置する舌片部１１６ｂの前端部が前記下側枠部５７の前側球通７２に対応する後端部に当接して球通路７２,１１５が前後に整列し、該後側球通路１１５から前側球通路７２へパチンコ球が移動することが可能となる。すなわち、前記第２ステージ部材１１２に形成される左右の溝状部１１８,１１８に、前記第３ステージ部材１２２に形成された前記第２の位置決め片１２８,１２８を差し込むことで、前後の球通路７２,１１５が前後に整列する位置に、第２ステージ部材１１２および第３ステージ部材１２２を位置決めすることができる。
【００９２】
ここで、前記第３ステージ部材１２２の第２の位置決め片１２８,１２８を位置決めする舌片部１１６ｂが前記後側球通路１１５の一部を構成すると共に、該第２の位置決め片１２８,１２８が後側球通路１１５の左右側壁を画成している。すなわち、前記第２ステージ部材１１２および第３ステージ部材１２２において、後側球通路１１５の構成部材を利用して両ステージ部材１１２,１２２を位置決めするようにしたから、第２ステージ部材１１２と第３ステージ部材１２２とを位置決めするための構成を独立して設ける必要がなく、第２ステージ部材１１２および第３ステージ部材１２２の構成を簡単にしてコスト低減を図り得る利点がある。
【００９３】
また、第２ステージ部材１１２および第３ステージ部材１２２を下側枠部５７に配設した状態では、前記支持突部１１７,１１７の上面に第４球転動部１２３の下面が当接するよう構成されている。このとき、前記支持突部１１７,１１７の上面を第４球転動部１２３に形成される第４凹溝部１２３ａ,１２３ａに合わせて窪む凹形状としたことで、支持突部１１７,１１７に第４球転動部１２３の下面を当接支持することにより、第２ステージ部材１１２および第３ステージ部材１２２をより正確に位置合わせすることができる。また、前記支持突部１１７,１１７は、前記第４球転動部１２３の後端部側を支持し、該第４球転動部１２３の前端部側は、前記第３ステージ部材１２２に形成した支持片１２４が下枠部材の下側内周壁５９(第２の壁部５９ｂ)の内周面に当接することで支持される。すなわち、前記支持突部１１７,１１７および支持片１２４により、第４球転動部１２３の前後位置が支持されるから、第４球転動部１２３条をパチンコ球が転動した際に撓み等の変形が生ずるのを防止できる。すなわち、前記第３ステージ部材１２２の安定性が高められて、第３球転動部１１３と第４球転動部１２３の相対的な姿勢や位置関係を正確な状態で維持できる。
【００９４】
ここで、前記第２球転動部１０４は、前記第１の仕切り壁１０５や第２の仕切り壁１０７により剛性が高められた第１ステージ部材１０２に形成されているから、該第２球転動部１０４上をパチンコ球が転動したとしても、第２球転動部１０４に撓み等の変形が生ずることはない。また、前記第３球転動部１１３は、前記支持突部１１７,１１７により剛性が高められた第２ステージ部材１１２に形成されると共に、前記下側枠部５７に対して４箇所でネジ固定されているから、該第３球転動部１１３上をパチンコ球が転動したとしても、第３球転動部１１３に撓み等の変形が生ずることはない。すなわち、前記第１〜第３ステージ部材１０２,１１２,１２２の夫々を前記下側枠部５７に対して固定することで、各ステージ部材１０２,１１２,１２２に形成される球転動部１０３,１０４,１１３,１２３の相対的な姿勢や位置関係を保持できるから、ステージ１０１に到来したパチンコ球に所定の動作を行なわせることが可能となる。
【００９５】
そして、前記第１球転動部１０３と第３球転動部１１３とが上下に重なると共に、前記第２球転動部１０４と第４球転動部１２３とが上下に重なるよう構成したことで、ステージ１０１に４段の球転動部１０３,１０４,１１３,１２３を設けたとしても、ステージ１０１の全体的な前後寸法をコンパクトにすることができる。
【００９６】
また、前記球誘導部８０の後側通路部材９４には、側板部９６の下端部に切欠き部９６ｃが形成されており、該切欠き部９６ｃに、前記第１ステージ部材１０２の第１球転動部１０３の左側傾斜上端部および該第１ステージ部材１０２の左端部に形成した前記位置決め当接部１０９が挿入されるようになっている。そして、前記位置決め当接部１０９の通孔１０９ａに後方から挿通したネジを、前記後側通路部材９４に形成したネジ固定部１００のネジ孔１００ａに螺挿することで、後側通路部材９４(球誘導部８０)の球出口８０ｂにステージ１０１の最上段に位置する第１球転動部１０３が整列する位置に、第１ステージ部材１０２(ステージ１０１)と後側通路部材９４(球誘導部８０)とが位置決めされる。このとき、前記第１球転動部１０３は、前記球誘導部８０(後側通路部材９４)の球出口８０ｂの下方に位置して、球出口８０ｂと第１球転動部１０３との間に段差を設けられるから、後側通路部材９４(球誘導部８０)とステージ１０１(第１球転動部１０３)との繋ぎ目となる位置でパチンコ球が球詰まりするのを防止でき、パチンコ球をステージ１０１上に確実に誘導することができる。
【００９７】
また、前記球誘導部８０およびステージ１０１を組み付けた前記装飾部材５０を前記遊技盤２０に配設し、該遊技盤２０の裏側に前記裏ユニット３３を配設することで、前記後側通路部材９４に形成した前記嵌合突部９９が裏ユニット３３の表カバー体３５に形成した筒状突部４６の挿入孔４６ａに嵌合される。ここで、前記嵌合突部９９が筒状突部４６の挿入孔４６ａに嵌合すると、前記後側通路部材９４の側板部９６が表カバー体３５における左側枠４１の開口端縁側(右端縁側)に整合するよう位置合わせされる。すなわち、前記球誘導部８０およびステージ１０１を組み付けた前記装飾部材５０および裏ユニット３３を遊技盤２０に固定することで、該球誘導部８０、ステージ１０１および裏ユニット３３の夫々が所定の位置関係となるよう簡単に位置決めできる。
【００９８】
また、前記嵌合突部９９を筒状突部４６の挿入孔４６ａに嵌合させて前記後側通路部材９４と裏ユニット３３とを位置決めした際に、該裏ユニット３３に配設した側部発光装置４３のＬＥＤ４３ｂが球誘導部８０の第１球通路８３ａおよび第２球通路９４ａの後方に、該第１および第２球通路８３ａ,９４ａに沿って配置される。従って、前記側部発光装置４３のＬＥＤ４３ｂの点灯により前記第１および第２球通路８３ａ,９４ａが後方から照明されるから、当該球通路８３ａ,９４ａを通過するパチンコ球に対する視認性が高められて、遊技者の注目度を高めることができる。同様に、前記裏ユニット３３(表カバー体３５)におけるステージ１０１の後方位置に、左右方向に複数のＬＥＤ４４ｂを配置した第２ＬＥＤ基板４４ａ(下部発光装置４４)を配設したことで、球転動部１０３,１０４,１１３,１２３上を左右方向に転動するパチンコ球が後方から照明されて視認性が向上し、パチンコ球に対する注目度が高められる。すなわち、前記側部発光装置４３および下部発光装置４４の発光により、前記球誘導部８０の球入口８０ａを通過してからステージ１０１を介して遊技領域２０ａ内に再び排出されるまでのパチンコ球に対する注目度が向上して、パチンコ球の動きによる演出効果の向上が図られる。
【００９９】
また、前記側部発光装置４３における第１ＬＥＤ基板４３ａのコネクタソケット４３ｃは、前記装飾部材５０の装飾板部５３(左側装飾板部５５)と前後に重なるよう位置するから、該コネクタソケット４３ｃを前側(遊技者側)から視認不能にでき、見栄えが低下するのを防止できる。更に、前記下部発光装置４４における第２ＬＥＤ基板４４ａのコネクタソケット４４ｃを、前記装飾部材５０の装飾板部５３(下側装飾板部５８)または遊技盤２０と前後に重なるよう位置させたことで、該コネクタソケット４４ｃも前側(遊技者側)から視認不能にでき、見栄えが低下するのを防止できる。
【０１００】
ここで、前記ステージ１０１は、前記第１〜第３ステージ部材１０２,１１２,１２２を組み付けた際に、第１球転動部１０３、第２球転動部１０４、第３球転動部１１３および第４球転動部１２３の夫々が、順に上下に離間して位置している。すなわち、第１球転動部１０３に対して前側へ向けて下方傾斜する第１凹溝部１０３ａ,１０３ａの傾斜下端部側に第２球転動部１０４が位置し、第２球転動部１０４に対して第１凹溝部１０３ａ,１０３ａの傾斜方向とは逆方向となる後方へ向けて下方傾斜するよう設けられた前記第２凹溝部１０４ａの傾斜下端部に第３球転動部１１３が位置し、該第３球転動部１１３に対して第１凹溝部１０３ａ,１０３ａと同一方向となる前方へ向けて下方傾斜するよう設けられた前記第３凹溝部１１３ａ,１１３ａの傾斜下端部に第４球転動部１２３が位置する。すなわち、第１〜第４球転動部１０３,１０４,１１３,１２３上をパチンコ球が転動する際の左右方向の動きに加えて、各球転動部１０３,１０４,１１３,１２３間をパチンコ球が移動する際には、前方移動および後方移動を交互に行なわせてパチンコ球を流下させることが可能となる。換言すると、ステージ１０１に設けた複数段の球転動部１０３,１０４,１１３,１２３を、上段から下段に向かうにつれて遊技盤２０の盤面に対して直交する前後方向に互い違いに位置するよう並設したことにより、上段側から下段側に位置する球転動部１０３,１０４,１１３,１２３に順次移動していくパチンコ球の移動方向が前後方向に交互に入れ替わる。従って、ステージ１０１上を転動するパチンコ球の動きが多彩になり、ステージ１０１を転動するパチンコ球の動きによる演出効果の向上が図られる。
【０１０１】
また、前記第２球転動部１０４は、前記第１凹溝部１０３ａ,１０３ａとの連通位置の間の略中間位置に向けて下方傾斜する凹状に形成されており、該第２球転動部１０４の傾斜下端部に前記第２凹溝部１０４ａが形成されると共に、前記第３球転動部１１３における上方に突出する凸形状部分を第２凹溝部１０４ａの下方に位置させて、該第２凹溝部１０４ａに沿って前記球通過口１０６を通過したパチンコ球が第３球転動部１１３の凸形状部分に到来するようになっている。すなわち、前記第２凹溝部１０４ａから第３球転動部１１３上に移動したパチンコ球は、該第３球転動部１１３に到来したパチンコ球の位置や勢い等の条件により左右方向に分散して転動する。このため、前記球誘導部８０から第１球転動部１０３上に到来したパチンコ球の勢いが弱く、該第１球転動部１０３の左右方向の幅全体を利用してパチンコ球が転動しない場合でも、パチンコ球が流下するにつれてステージ１０１の左右幅の全体を利用できる。
【０１０２】
また、前記第３球転動部１１３から第４球転動部１２３に移動したパチンコ球は、該第４球転動部１２３に設けた前記切欠き案内部１２３ｂを介して前記後側球通路１１５に移動し、前記前側球通路７２を通って前記始動入賞装置２６の入賞口２６ａに向けて排出されるか、あるいは当該第４球転動部１２３に設けた第４凹溝部１２３ａ,１２３ａを介して始動入賞装置２６の入賞口２６ａの左右側方へ向けて排出される。すなわち、第４球転動部１２３上を転動するパチンコ球が前記切欠き案内部１２３ｂから後側球通路１１５に移動するか、第４凹溝部１２３ａ,１２３ａから排出されるかによって、始動入賞装置２６の入賞口２６ａに入賞する可能性が大きく異なるため、ステージ１０１上を転動するパチンコ球の動きに対する注目度が一層高められ、ステージ１０１上で多様化な動きをするパチンコ球の動きによる演出効果の向上が図られる。
【０１０３】
また、前記第３球転動部１１３における球通過口１０６の下方に臨む位置に、前記後側球通路１１５の上方開口部１１３ｂが開口するよう形成してある。従って、前記第２球転動部１０４から第３球転動部１１３に移動するパチンコ球が後側球通路１１５の上方開口部１１３ｂに通入する可能性が生じ、ステージ１０１上を転動するパチンコ球の動きをより一層複雑にして、パチンコ球の動きによる演出効果の向上を図り得る。ところで、前述のように、前記第２球転動部１０４上のパチンコ球は、前記第１の仕切り壁１０５に開設された球通過口１０６を介して第３球転動部１１３に移動する。ここで、前記球通過口１０６の左右の開口幅は、複数のパチンコ球が通過可能な幅寸法に設定されると共に、前記第３球転動部１１３に形成される後側球通路１１５の上方開口部１１３ｂは、１個のパチンコ球が通過可能な大きさで形成されているから、当該球通過口１０６をパチンコ球が通過した時点では、パチンコ球が後側球通路１１５の上方開口部１１３ｂに通入するかは予測困難となる。すなわち、球通過口１０６を通過したパチンコ球が遊技者に有利な前記後側球通路１１５に通入するか、そのまま第３球転動部１１３上に落下するかに関して、遊技者の予測を困難にできるから、ステージ１０１上を移動するパチンコ球の動きに対する期待感を持続して遊技の興趣の向上が図られる。
【０１０４】
ここで、前記第２球転動部１０４の第２凹溝部１０４ａは、前記球通過口１０６に近接するにつれて左右幅が拡大するよう形成してあるから、該第２球転動部１０４上のパチンコ球が球通過口１０６に移動する際に、該球通過口１０６に対するパチンコ球の移動方向や勢い等が多様に変化させることができる。従って、前記第２凹溝部１０４ａを転動して球通過口１０６を通過したパチンコ球が前記上方開口部１１３ｂに通入するかの予測困難性がより高められ、ステージ１０１上を移動するパチンコ球の動きによる演出効果がより一層高められる。
【０１０５】
また、前記第３球転動部１１３は、上下方向に起伏するよう形成されて、該第３球転動部１１３における上方に突出する凸形状部分の頂部に前記上方開口部１１３ｂが形成されているから、該開口部１１３ｂに通入することなく第３球転動部１１３に移動したパチンコ球が当該開口部１１３ｂに必要以上に通入するのを防止できる。すなわち、前記上方開口部１１３ｂを介して後側球通路１１５に移動するパチンコ球(すなわち始動入賞装置２６に入賞し易く、遊技者の期待が高くなる一方で、ステージ１０１上での移動距離が短いパチンコ球)、および前記第３球転動部１１３から第４球転動部１２３へ移動するパチンコ球(すなわち始動入賞装置２６への入賞可能性を残しつつ、ステージ１０１上での移動距離が長くなるパチンコ球)の割合のバランスを維持することにより、ステージ１０１を転動するパチンコ球に対する注目を高めることができる。特に実施例では、前記第３球転動部１１３における前記上方開口部１１３ｂの開口縁部に沿って、上方に突出する環状突出片１１３ｃを形成したことにより、該開口部１１３ｂにパチンコ球が通入可能なルートは球通過口１０６から直接通入する場合に概ね限定される。これにより、パチンコ球が球通過口１０６を通過してから第３球転動部１１３に到来するまでの間のパチンコ球に対する注目度が高められる。また、前記第３球転動部１１３上に到来したパチンコ球は、前述したように、第４球転動部１２３を転動する過程で前記後側球通路１１５に移動する可能性が残されるから、始動入賞装置２６の入賞口２６ａにパチンコ球が入賞することへの遊技者の期待感を維持することができ、遊技の興趣の向上が図られる。このように、前記後側球通路１１５へパチンコ球が移動可能な経路を複数設定したことで、パチンコ球の動きによる演出効果が一段と高められる。
【０１０６】
また、実施例では、前記第１球転動部１０３の凸形状部分に、前方へ下方傾斜する誘導溝部１０３ｂを形成して、該誘導溝部１０３ｂが前記後側球通路１１５の上方開口部１１３ｂの直上方位置に位置するよう構成してある。このため、前記誘導溝部１０３ｂから第２球転動部１０４の第２凹溝部１０４ａに落下したパチンコ球は、そのまま後側球通路１１５の上方開口部１１３ｂへ向けて転動し易くなっている。すなわち、前記後側球通路１１５の上方開口部１１３ｂへ向けてパチンコ球が移動する可能性が高い誘導溝部１０３ｂを前記第１球転動部１０３に形成することで、該第１球転動部１０３上をパチンコ球が転動している時点でもパチンコ球の動きに対する期待感が高まり、遊技の興趣を向上させることができる。
【０１０７】
ここで、前記ステージ１０１には、前記第１球転動部１０３の前端部に第１の球移動規制片１０３ｃを形成してあるから、該第１球転動部１０３からは前記第１凹溝部１０３ａ,１０３ａまたは誘導溝部１０３ｂからのみ第２球転動部１０４にパチンコ球が移動し得る。また、前記第２球転動部１０４の前端部および左右の端部に第２の球移動規制片１０４ｂを形成すると共に第２球転動部１０４の後端部に第１の仕切り壁１０５を形成してあるから、該第２球転動部１０４からは前記第２凹溝部１０４ａからのみ第３球転動部１１３にパチンコ球が移動できる。更に、前記第３球転動部１１３には、前端部に位置する前記第２の仕切り壁１０７,１０７が球移動規制片として機能し、該第３球転動部１１３からは前記第３凹溝部１１３ａ,１１３ａからのみ第４球転動部１２３にパチンコ球が移動できる。更にまた、前記第４球転動部１２３は、前記装飾部材５０における下側枠部５７の下側装飾板部５８が第４球転動部１２３の前端部から上方に突出して球移動規制片として機能し、該第４球転動部１２３からは切欠き案内部１２３ｂから後側球通路１１５にパチンコ球が移動するか、あるいは前記第４凹溝部１２３ａ,１２３ａから遊技領域２０ａ内にパチンコ球が排出される。すなわち、第１球転動部１０３から第３または第４球転動部１１３,１２３、遊技領域２０ａへのパチンコ球の移動、第２球転動部１０４から第４球転動部１２３や遊技領域２０ａへのパチンコ球の移動、更には第３球転動部１１３から遊技領域２０ａへのパチンコ球の移動を確実に防止して、複数段設けた球転動部１０３,１０４,１１３,１２３を転動するパチンコ球の動きによる演出を確実に行なわせることができる。
【０１０８】
ここで、前述したように、実施例のパチンコ機１０では、前記ステージ１０１をパチンコ球が転動している場合に、前記第３球転動部１１３に形成した前記後側球通路１１５の上方開口部１１３ｂにパチンコ球が通入するか否かに対して遊技者の注目度が特に高くなる傾向がある。そこで、実施例のパチンコ機１０では、前記裏ユニット３３(表カバー体３５)に設けた前記下部発光装置４４のＬＥＤ４４ｂを、第１球転動部１０３と第３球転動部１１３との間に配置してあるから、該ＬＥＤ４４ｂを点灯・点滅させることで第３球転動部１１３に移動するパチンコ球を照明して視認性を高め、遊技者の期待感を高めることができる。また、前記第１球転動部１０３の下方に位置する前記第３球転動部１１３の視認性が向上することで、該第３球転動部１１３を転動するパチンコ球に対する注目度が高まり、演出効果の向上が図られる。
【０１０９】
〔変更例〕
なお、本発明に係る遊技機としては、実施例のものに限られるものではなく、種々の変更が可能である。
【０１１０】
実施例では、ステージに上下に離間する４段の球転動部を設けるようにしたが、これに限られるものではなく、左右方向に延在すると共に上下に離間した３段以上の球転動部を備えるよう構成すればよい。
【０１１１】
実施例では、ステージの最上段に位置する第１球転動部の前側に第２球転動部を配置すると共に、該第２球転動部の後側に第３球転動部を配置し、更に第３球転動部の前側に第４球転動部を設けたが、第１球転動部の後側に第２球転動部を設け、第２球転動部の前側に第３球転動部を設ける構成も可能である。すなわち、ステージに設けられる複数段の球転動部は、上段から下段に向かうにつれて前記遊技盤の盤面に対して直交する前後方向に互い違いに位置するよう並設されて、前記案内部を介して球転動部間を遊技球が移動する際に、各球転動部において流入する遊技球の移動方向と排出される遊技球の移動方向とが逆向きになるよう構成すれば、実施例と同様に、各転動面上を遊技球が転動する際の左右方向の動きに加えて、転動面間を遊技球が移動する際には前方移動および後方移動を交互に行なわせて流下させることが可能となる。従って、ステージ上を転動する遊技球の動きを多彩にでき、遊技球の動きによる演出効果の向上を図り得る。
【０１１２】
なお、第１球転動部の後側に第２球転動部を設ける構成では、第１球転動部に対して、遊技盤の盤面に対して直交する盤面後方へ下方傾斜するよう第１案内部が形成される。また、第２球転動部に対しては、遊技盤の盤面に対して直交する盤面前方へ下方傾斜する第２案内部が形成される。すなわち、ステージの各球転動部には、１段下方に位置する球転動部へ向けて遊技球を案内し得るよう案内部が設けられて、各球転動部の案内部を介して上段に位置する球転動部から下段に位置する球転動部へ遊技球が順次移動するよう構成される。
【０１１３】
またステージに設けられる球転動部の形状に関しても、実施例のものに限られるものではなく、左右方向に延在するよう形成して遊技球を左右方向に転動させ得るようにすれば、任意の形状に形成することができる。例えば、実施例では、第１および第３球転動部に、１箇所の凸形状部分を設けると共に２箇所の凹形状部分を設けた起伏形状としたが、２箇所以上の凸形状部分を有する起伏形状に形成することもできる。複数の凸形状部分を形成した場合には、遊技球を下段側の球転動部へ排出する案内部(凹溝部)を全ての凹形状部分毎に設けてもよく、また任意の凹形状部分を選択して案内部(凹溝部)を形成することもできる。また、第２球転動部の形状に関しても、第１球転動部と同様に、上下に起伏する起伏形状とすることもできる。
【０１１４】
実施例では、上下に起伏する第１球転動部を球誘導部の球出口に連通するよう構成したが、第１球転動部を省略して第２球転動部に球誘導部の球出口が連通するよう構成することもできる。すなわち、球誘導部の球出口に連通する球転動部を左右両端から略中央位置に向けて下方傾斜する凹状に形成することも当然可能である。
【０１１５】
実施例では、第３球転動部に入賞装置へ向けて遊技球が案内される第１球排出経路部(後側球通路)を形成するようにしたが、該第１球排出経路部(後側球通路)には第４球転動部からのみ移動し得るようにしてもよい。
【０１１６】
実施例では、第１球転動部における凸形状部分の頂部に第１案内部と同一方向へ向けて下方傾斜する第６案内部(誘導溝部)を形成したが、該第６案内部の形成は任意である。すなわち、第１球転動部から第２球転動部への移動経路を第１案内部に限るようにしてもよい。
【０１１７】
実施例では、第２球転動部から第３球転動部へ遊技球が移動する際に通過する球通過口を、複数個の遊技球が通過可能な開口幅寸法で形成したが、１個の遊技球が通過可能な開口幅で球通過口を形成することも可能である。また、前記第３球転動部に形成される前記第１球排出経路部の開口部(上方開口部)に関しても、実施例では１個の遊技球が通過可能な開口幅寸法に設定したが、遊技球の複数個分の直径で開口させてもよい。すなわち、球通過口の開口幅や第３球転動部に形成される開口部の大きさを変更することで、第１球排出経路部を遊技球が通過する確率を調節することができる。
【０１１８】
実施例では、ステージを転動する遊技球を入賞装置の側部へ向けて排出する第２球排出経路部として、第４球転動部の第５案内部を入賞装置の左右側方に位置するよう設けたが、これに限られるものではなく、遊技球を入賞装置の側部へ向けて排出し得るよう形成すれば、任意の経路で形成することができる。例えば、前記第１球排出経路部と同様に、第４球転動部の下方を通過するトンネル状に第２球排出経路部を形成して、該第４球転動部に第２球排出経路部へ向けて遊技球を案内する案内部を形成することもできる。
【０１１９】
実施例では、前記第３球転動部に形成された第１球排出経路部の開口部の開口縁部に沿って上方に突出する環状突片を形成したが、該環状突片を形成しないようにしてもよい。すなわち、環状突片の形成を省略することで、第３球転動部上を転動する遊技球を第１球排出経路部に移動させ易くできる。
【０１２０】
実施例では、球誘導部を球導入通路部と球案内通路部とを別に構成したが、前記前側通路部材に球導入通路部を一体に設けて、球誘導部を前側通路部材と後側通路部材とから構成することもできる。
【０１２１】
前側通路部材および後側通路部材の形状・構成は、実施例のものに限定されるものではなく、適宜変更することができる。すなわち、上下方向に延在すると共に後方に開口する断面コ字状に前側通路部材を形成すると共に、第２球通路を形成した後側通路部材を前側通路部材の後端部に当接させて、前後の通路部材の間に球入口に連通する第１球通路を画成するよう構成すればよい。
【０１２２】
実施例では、前後の通路部材を位置決めする位置決め手段として、前側通路部材に突起部を形成し、後側通路部材に突起部が嵌合する位置決め孔を形成したが、該後側通路部材に突起部を形成して、前側通路部材に位置決め孔を形成することでも、両通路部材を位置決めすることができる。また、前記前側通路部材を装飾部材に位置決めする構成に関しても、実施例に示した構成に限らず、任意の構成を採用できる。
【０１２３】
実施例では、後側通路部材を装飾部材にネジ固定することで、装飾部材と後側通路部材との間に前側通路部材が挟持固定されるようにしたが、該前側通路部材を独立して装飾部材にネジ固定するようにしてもよい。
【０１２４】
実施例では、前記前後の通路部材における球通路の内底面に、平行な２本のガイド(突条部)を形成して遊技球を案内する転動面を形成するようにしたが、各通路部材に転動面としてのガイドを１本形成するようにしてもよく、また球通路の内底面を遊技球が転動するようにして、該内底面を転動面としてもよい。
【０１２５】
実施例では、遊技盤の裏側に配設された図柄表示装置を支持する裏ユニット(支持部材)に、前記球誘導部の球通路を後方から照明する第１ＬＥＤ基板を配設すると共に、ステージの球転動部上を転動する遊技球を後方から照明する第２ＬＥＤ基板を配設するようにしたが、これに限られるものではなく、第１ＬＥＤ基板や第２ＬＥＤ基板のみを収容保持する支持部材を設けるようにしてもよい。すなわち、実施例において、支持部材としての裏ユニットに配設された可動演出装置や図柄表示装置は必要に応じて配設される。また、第１ＬＥＤ基板および第２ＬＥＤ基板は、個別に設けた支持部材に配設することもできる。
【０１２６】
実施例では、前記第１球転動部と第２球転動部を単一の第１ステージ部材に設けるようにしたが、これに限られるものではなく、第１球転動部と第２球転動部とを別々のステージ部材に設けて組み付けるようにしてもよい。また、３つ以上の球転動部を単一のステージ部材に形成するようにしてもよい。
【０１２７】
また、ステージを構成するステージ部材を装飾部材に固定する構成としては、実施例のものに限られず、任意の構成を採用できる。すなわち、ステージ部材を装飾部材に固定するための固定突部や位置決め突部の形成位置や形成数等は、ステージ部材の形状や大きさ等に応じて適宜変更することができる。
【０１２８】
実施例では、第１ステージ部材を第２ステージ部材に連結固定するようにしたが、該第１ステージ部材も装飾部材にネジ止めするよう構成することもできる。
【０１２９】
遊技盤に配設される装飾部材の形状は、実施例のものに限られるものではなく、遊技盤に開設される装着口の形状に応じて適宜変更されるものである。すなわち、装飾部材に形成される窓口の形状に関しても、実施例のものに限られない。
【０１３０】
実施例では、装飾部材の左側部(ステージの左側方)に球誘導部を形成したが、該装飾部材の右側部(ステージの右側方)に球誘導部を形成してもよく、左右両側部に球誘導部を形成することもできる。
【０１３１】
実施例では入賞装置として始動入賞装置を例示したが、これに限られるものではなく、特別入賞装置や普通入賞装置等の入賞口であってもよく、遊技球の入賞により遊技球の払出し等の遊技者に有利な状態を惹起する入賞装置を好適に採用し得る。
【０１３２】
また、実施例では、遊技機としてパチンコ機を例にして説明したが、これに限られるものではなく、アレンジボール機、雀球機等の遊技機に採用することも可能である。
【図面の簡単な説明】
【０１３３】
【図１】本発明の実施例に係るパチンコ機を示す正面図である。
【図２】実施例に係る遊技盤を示す正面図である。
【図３】実施例に係る遊技盤に形成される装着口を示す正面図である。
【図４】実施例に係る遊技盤を示す斜視図である。
【図５】実施例に係る裏ユニットを示す正面図である。
【図６】実施例に係る裏ユニットの表カバー体を示す正面図である。
【図７】実施例に係る装飾部材の左側枠部を背面側から視た状態で示す斜視図である。
【図８】実施例に係る装飾部材の左側枠部と球誘導部の前後の通路部材を分解した状態を背面側から視た状態で示す斜視図である。
【図９】実施例に係る装飾部材の下側枠部とステージとを分解した状態を背面側から視た状態で示す斜視図である。
【図１０】実施例に係る球誘導部の前後の通路部材を分解した状態を背面側から視た状態で示す斜視図である。
【図１１】実施例に係る球誘導部の前後の通路部材と、表カバー体とを分解した状態を正面側から視た状態で示す斜視図である。
【図１２】(a)は、実施例に係る球誘導部の前後の通路部材を組み付けた状態で示す正面図であり、(b)は、(a)のＡ−Ａ線断面図である。
【図１３】実施例に係る装飾部材の左側枠部に球誘導部の前側通路部材を組み付けた状態を示す背面図である。
【図１４】実施例に係る装飾部材の左側枠部に球誘導部の前側通路部材を組み付けた状態を示す斜視図である。
【図１５】実施例に係るステージの分解斜視図である。
【図１６】(a)は、実施例に係るステージの第１ステージ部材を示す正面図であり、(b)は、該第１ステージ部材の平面図である。
【図１７】(a)は、実施例に係るステージの第２ステージ部材を示す正面図であり、(b)は、該第２ステージ部材の平面図である。
【図１８】(a)は、実施例に係るステージの第３ステージ部材を示す正面図であり、(b)は、該第３ステージ部材の平面図であり、(c)は、当該第３ステージ部材の底面図である。
【図１９】実施例に係るステージの第２ステージ部材および第３ステージ部材と、装飾部材の下側枠部との関係を示す平面図である。
【図２０】実施例に係る遊技盤を、ステージにおける第１球排出経路部で縦断した状態を示す側断面図である。
【図２１】(a)は、実施例に係る後側通路部材の側面図であり、(b)は、(a)のＢ−Ｂ線断面図である。
【図２２】(a)は、実施例に係る後側通路部材と第１ステージ部材の左端部との関係を示す斜視図であり、(b)は、後側通路部材の切欠き部に第１ステージ部材の左端部に設けた位置決め当接部を臨ませた状態を示す斜視図である。
【図２３】実施例に係る第３ステージ部材に形成した第１および第２位置決め片と、下側枠部に形成した前側球通路と、第２ステージ部材に形成された後側球通路との関係を示す断面図である。
【符号の説明】
【０１３４】
２０  遊技盤
２０ａ  遊技領域
２６  始動入賞装置(入賞装置)
３３  裏ユニット(支持部材)
３３ａ  開口部
３６  前面板
４３a  第１ＬＥＤ基板
４３b  ＬＥＤ
４４ａ  第２ＬＥＤ基板
４４ｂ  ＬＥＤ
７２  前側球通路(第１球排出経路部)
８０ａ  球入口
８０ｂ  球出口
８３ａ  第１球通路(球通路)
９４ａ  第２球通路(球通路)
１０１  ステージ
１０３  第１球転動部(上段側の球転動部)
１０４  第２球転動部(球転動部)
１１３  第３球転動部(下段側の球転動部)
１１３ａ  第３凹溝部(第２球排出経路部)
１１３ｂ  上方開口部(開口部)
１１３ｃ  環状突片(突片)
１１５  後側球通路(第１球排出経路部)
１２３  第４球転動部(球転動部)
１２３ａ  第４凹溝部(第２球排出経路部)
【図１】
2010069142.tif 000003
【図２】
2010069142.tif 000004
【図３】
2010069142.tif 000005
【図４】
2010069142.tif 000006
【図５】
2010069142.tif 000007
【図６】
2010069142.tif 000008
【図７】
2010069142.tif 000009
【図８】
2010069142.tif 000010
【図９】
2010069142.tif 000011
【図１０】
2010069142.tif 000012
【図１１】
2010069142.tif 000013
【図１２】
2010069142.tif 000014
【図１３】
2010069142.tif 000015
【図１４】
2010069142.tif 000016
【図１５】
2010069142.tif 000017
【図１６】
2010069142.tif 000018
【図１７】
2010069142.tif 000019
【図１８】
2010069142.tif 000020
【図１９】
2010069142.tif 000021
【図２０】
2010069142.tif 000022
【図２１】
2010069142.tif 000023
【図２２】
2010069142.tif 000024
【図２３】
2010069142.tif 000025